(57)【要約】【課題】ディジタル放送等のコンテンツのダビングを柔軟に行う。【解決手段】ダビング制御部２３６は、HDD１１２に記録されたコンテンツが、所定の条件を満たすか否か、すなわち、例えば、地上ディジタル放送の番組であるかを判定し、コピー制御情報がノーモアコピーになっているコンテンツが所定の条件を満たさないときには、そのコンテンツを、HDD１１２からリムーバブルメディア１１４に記録した後に、HDD１１２から消去し、コピー制御情報がノーモアコピーになっているコンテンツが、所定の条件を満たすときには、そのコンテンツを、HDD１１２からリムーバブルメディア１１４に記録した後に、HDD１１２にそのまま残す。本発明は、例えば、ディジタル放送の番組を受信して記録（録画）するHDDレコーダ等に適用できる。【選択図】図４
2008205883.tif 000002
【特許請求の範囲】
【請求項１】
コンテンツを、コンテンツ記録媒体に記録する記録装置において、
前記コンテンツ記録媒体に記録されたコンテンツを、ダビングのために、他のコンテンツ記録媒体に記録させるダビング手段と、
前記コンテンツ記録媒体に記録されたコンテンツが、所定の条件を満たすか否かを判定する判定手段と、
コピーを制御するコピー制御情報がコピーの禁止を表すノーモアコピーになっているコンテンツが、前記所定の条件を満たさないときには、そのコンテンツを、前記コンテンツ記録媒体から前記他のコンテンツ記録媒体に記録した後に、前記コンテンツ記録媒体から消去し、
前記コピー制御情報が前記ノーモアコピーになっているコンテンツが、前記所定の条件を満たすときには、そのコンテンツを、前記コンテンツ記録媒体から前記他のコンテンツ記録媒体に記録した後に、前記コンテンツ記録媒体にそのまま残す
制御を行う制御手段と
を備える記録装置。
【請求項２】
前記記録装置は、前記コンテンツが伝送された伝送路を示す識別情報を前記コンテンツに対応させて保持し、
前記判定手段は、前記識別情報に基づいて、前記コンテンツが伝送された伝送路に応じて、所定の条件を満たすか否かを判定する
請求項１に記載の記録装置。
【請求項３】
前記記録装置は、前記コンテンツが有料か無料かに関する料金情報を前記コンテンツに対応させて保持し、
前記判定手段は、前記料金情報に基づいて、所定の条件を満たすか否かを判定する
請求項１に記載の記録装置。
【請求項４】
前記記録装置は、前記コンテンツが所定の条件を満たしているか否かを示す、前記コピー制御情報と異なる識別情報を保持し、
前記判定手段は、前記識別情報に基づいて、所定の条件を満たすか否かを判定する
請求項１に記載の記録装置。
【請求項５】
前記判定手段は、地上ディジタルで放送されたことを、前記所定の条件として、前記コンテンツ記録媒体に記録されたコンテンツが、地上ディジタル放送で放送されたコンテンツであるか否かを判定する
請求項２に記載の記録装置。
【請求項６】
前記コンテンツ記録媒体は、前記記録装置が内蔵する記録媒体であり、
前記他のコンテンツ記録媒体は、前記記録装置に着脱可能な記録媒体、又は、外部の装置である外部機器によって記録と再生が行われる記録媒体である
請求項１に記載の記録装置。
【請求項７】
送信されてきたコンテンツのデータに含まれる、AV（Audio Visual）データと制御に用いられる制御データとのうちの、前記制御データから、コンテンツの前記コピー制御情報を求め、前記コピー制御情報が１度のコピーの許可を表すコピーワンスになっているときに、前記コピー制御情報をノーモアコピーにして、コンテンツを前記コンテンツ記録媒体に記録することを指示する記録指示手段と、
前記記録指示手段の指示にしたがい、前記コンテンツ記録媒体に記録されたコンテンツを管理するためのタイトルデータベースであって、少なくとも前記コピー制御情報を含むタイトルデータベースを生成するタイトルデータベース生成手段と
をさらに備え、
前記制御手段は、
前記タイトルベースに含まれる前記コピー制御情報がノーモアコピーになっているコンテンツが、前記所定の条件を満たさないときには、そのコンテンツを、前記コンテンツ記録媒体から前記他のコンテンツ記録媒体に記録した後に、前記コンテンツ記録媒体から消去し、
前記タイトルベースに含まれる前記コピー制御情報が前記ノーモアコピーになっているコンテンツが、前記所定の条件を満たすときには、そのコンテンツを、前記コンテンツ記録媒体から前記他のコンテンツ記録媒体に記録した後に、前記コンテンツ記録媒体にそのまま残す
制御を行う
請求項１に記載の記録装置。
【請求項８】
コンテンツを、コンテンツ記録媒体に記録する記録装置を制御する制御方法において、
前記コンテンツ記録媒体に記録されたコンテンツを、ダビングのために、他のコンテンツ記録媒体に記録させ、
前記コンテンツ記録媒体に記録されたコンテンツが、所定の条件を満たすか否かを判定し、
コピーを制御するコピー制御情報がコピーの禁止を表すノーモアコピーになっているコンテンツが、前記所定の条件を満たさないときには、そのコンテンツを、前記コンテンツ記録媒体から前記他のコンテンツ記録媒体に記録した後に、前記コンテンツ記録媒体から消去し、
前記コピー制御情報が前記ノーモアコピーになっているコンテンツが、前記所定の条件を満たすときには、そのコンテンツを、前記コンテンツ記録媒体から前記他のコンテンツ記録媒体に記録した後に、前記コンテンツ記録媒体にそのまま残す
制御を行う
ステップを含む制御方法。
【請求項９】
コンテンツを、コンテンツ記録媒体に記録する記録装置を制御するコンピュータに実行させるプログラムにおいて、
前記コンテンツ記録媒体に記録されたコンテンツを、ダビングのために、他のコンテンツ記録媒体に記録させ、
前記コンテンツ記録媒体に記録されたコンテンツが、所定の条件を満たすか否かを判定し、
コピーを制御するコピー制御情報がコピーの禁止を表すノーモアコピーになっているコンテンツが、前記所定の条件を満たさないときには、そのコンテンツを、前記コンテンツ記録媒体から前記他のコンテンツ記録媒体に記録した後に、前記コンテンツ記録媒体から消去し、
前記コピー制御情報が前記ノーモアコピーになっているコンテンツが、前記所定の条件を満たすときには、そのコンテンツを、前記コンテンツ記録媒体から前記他のコンテンツ記録媒体に記録した後に、前記コンテンツ記録媒体にそのまま残す
制御を行う
ステップを含む処理を、コンピュータに実行させるプログラム。
【発明の詳細な説明】
【技術分野】
【０００１】
本発明は、記録装置、制御方法、及びプログラムに関し、特に、例えば、ディジタル放送等のコンテンツのダビングを柔軟に行うことができるようにする記録装置、制御方法、及びプログラムに関する。
【背景技術】
【０００２】
地上アナログ放送は2011年に停波（終了）することが予定されており、このため、現在、地上アナログ放送から地上ディジタル放送への移行が行われている。
【０００３】
図１は、地上ディジタル放送や、BS(Broadcasting Satellite)ディジタル放送、CS(Communication Satellite)ディジタル放送等のディジタル放送の送受信を行う放送システムの一例の構成を示している。
【０００４】
図１において、放送システムは、送信装置１０１、記録装置１０２、及びモニタ１０３から構成されている。
【０００５】
送信装置１０１は、画像（音声が付随する動画を含む）や音声等のAVデータを含むコンテンツ（のデータ）を、番組として、ディジタル放送により放送（送信）する。
【０００６】
記録装置１０２は、ディジタル放送を受信する受信装置を兼ねた録画を行う装置、すなわち、例えば、HD(Hard Disk)レコーダ等であり、送信装置１０１からのディジタル放送の放送信号（RF(Radio Frequency)信号）を受信し、その放送信号に含まれる番組としてのコンテンツを、必要に応じて、モニタ１０３に供給し、また、録画（記録）する。
【０００７】
すなわち、記録装置１０２は、ディジタルチューナ１１１，HD１１２、及び出力I/F(Interface)１１３等を有する。
【０００８】
ディジタルチューナ１１１は、送信装置１０１からのディジタル放送の放送信号を受信し、復調等を行うことにより、その放送信号に含まれる番組としてのコンテンツを得る。
【０００９】
HD１１２は、ディジタルチューナ１１１で得られたコンテンツを、必要に応じて記録する。なお、HD１１２に記録されたコンテンツは、必要に応じて再生され、出力I/F１１３や、後述するリムーバブルメディア１１４に供給される。
【００１０】
出力I/F１１３は、ディジタルチューナ１１１から供給されるコンテンツや、HD１１２から供給されるコンテンツを外部に出力するI/Fであり、図１では、ディジタルチューナ１１１から供給されるコンテンツや、HD１１２から供給されるコンテンツを、モニタ１０３に供給する。
【００１１】
モニタ１０３は、例えば、CRT(Cathode Ray Tube)やLCD(Liquid Crystal Display)等で構成され、出力I/F１１３から供給されるコンテンツとしての画像を表示し、音声を図示せぬスピーカから出力する。
【００１２】
以上のように構成される放送システムでは、送信装置１０１からの放送信号が、記録装置１０２のディジタルチューナ１１１で受信され、その放送信号に含まれるコンテンツが、出力I/F１１３を介して、モニタ１０３に供給されて表示等される。
【００１３】
さらに、記録装置１０２では、ディジタルチューナ１１１で受信された放送信号に含まれるコンテンツが、必要に応じて、HD１１２に記録（録画）される。
【００１４】
また、記録装置１０２は、例えば、ブルーレイディスク(Blu-ray Disc)やDVD(Digital Versatile Disc)等の光ディスクや、メモリースティック(Memory Stick)（ソニー株式会社の商標）等のメモリカード等のリムーバブルメディア１１４の着脱が可能になっている。そして、記録装置１０２では、そこに装着されたリムーバブルメディア１１４に対し、HD１１２に記録されたコンテンツを、必要に応じてダビングすることができるようになっている。
【００１５】
図２は、図１の記録装置１０２の、より詳細な構成例を示している。
【００１６】
なお、図中、図１の場合と対応する部分については、同一の符号を付してあり、以下では、その説明は、適宜省略する。
【００１７】
ディジタルチューナ(Digital Tuner)１１１は、ディジタル放送の放送信号を受信し、その放送信号を復調等することにより、いわゆるフルTS(Transport Stream)と呼ばれるMPEG(Moving Picture Experts Group)-TSを得て、デスクランブラ１２１に供給する。
【００１８】
デスクランブラ(Descrambler)１２１は、ディジタルチューナ１１１からのフルTSにかけられているスクランブルを解くデスクランブル処理を行い、そのデスクランブル処理後のフルTSを、PID(Packet Identification)フィルタ１２２に供給する。
【００１９】
PIDフィルタ１２２は、デスクランブラ１２１からのフルTSを構成するTSパケットのうちの、PIDが所定の値のTSパケット、すなわち、特定のコンテンツの画像や音声（AVデータ）、制御に用いられる制御データが含まれるTSパケットを抽出し、PRI(Packet Replace Inserter)１２３とデマルチプレクサ１２４に供給する。
【００２０】
なお、図２では、PIDフィルタ１２２が、デスクランブラ１２１の直後に設けられているが、PIDフィルタ１２２は、デスクランブラ１２１の直後ではなく、デスクランブラ１２１の直前（ディジタルチューナ１１１とデスクランブラ１２１との間）に設けることが可能である。
【００２１】
デマルチプレクサ(Demultiplexer)１２４は、PIDフィルタ１２２からのフルTSのTSパケットを、画像、音声、制御データ（のTSパケット）に分離する。そして、デマルチプレクサ１２４は、コンテンツの画像や音声のAVデータを、AV(Audio Visual)デコーダ１２６に供給し、制御データを、PSI/SI(Program Specific Information/ Service Information)コントローラ１２５に供給する。
【００２２】
PSI/SIコントローラ１２５は、デマルチプレクサ１２４からの制御データを分析することにより、PSI/SIを構成する。
【００２３】
PSI/SIとしては、画像や音声などのTSパケットのPIDを含むPMT(Program Map Table)、チャンネル番号等を含むNIT(Network Information Table)、放送局を識別する放送局識別情報等を含むBIT(Broadcaster Information Table)、チャンネルの名称等を含むSDT(Service Description Table)等があり、PSI/SIコントローラ１２５は、PSI/SIから必要な情報を抽出し、PRI１２３やHD記録制御部１３０等に供給する。
【００２４】
また、PSI/SIのPMTには、コンテンツのコピーを制御するCCI(Copy Control Information)（コピー制御情報）としてのディジタルコピー制御記述子が含まれており、PSI/SIコントローラ１２５は、そのディジタルコピー制御記述子に基づき、コンテンツのCCIを認識する。
【００２５】
さらに、PSI/SIコントローラ１２５は、コンテンツのCCIから、そのコンテンツの記録や出力を行うときのCCIを求め、出力I/F１１３，PRI１２３、マルチプレクサ１２９、及びHD記録制御部１３０に供給する。
【００２６】
ここで、CCIの代表的なものとしては、例えば、コピーフリー(Copy-Free)、コピーワンス(Copy-Once)、ノーモアコピー(No-More-Copies)、及びコピーネバー(Copy-Never)がある。
【００２７】
コピーフリーは、制限なしのコピーの許可を表し、コピーワンスは、１度のコピーの許可を表す。ノーモアコピー及びコピーネバーは、コピーの禁止を表す。
【００２８】
なお、ノーモアコピーは、CCIがコピーワンスになっているコンテンツをコピーしたときの、そのコピー後のコンテンツのCCIであるのに対して、コピーネバーは、最初からコピーが禁止されているコンテンツのCCIである点で、ノーモアコピーとコピーネバーとは異なる。
【００２９】
PSI/SIコントローラ１２５は、コンテンツのCCIが、例えば、コピーワンスになっている場合、そのコンテンツの記録や出力を行うときのCCIとして、ノーモアコピーを求め、すなわち、コンテンツのCCIを、コピーワンスからノーモアコピーに変更して、出力I/F１１３，PRI１２３、マルチプレクサ１２９、及びHD記録制御部１３０に供給する。
【００３０】
すなわち、コンテンツのCCIが、例えば、コピーワンスになっている場合には、PSI/SIコントローラ１２５は、そのコンテンツの記録や出力を行うときのCCIを、ノーモアコピーとするように、出力I/F１１３，PRI１２３、マルチプレクサ１２９、及びHD記録制御部１３０に対して、コンテンツのCCIを指示する。
【００３１】
一方、AVデコーダ１２６は、デマルチプレクサ１２４からのコンテンツのデータをデコードする。すなわち、デマルチプレクサ１２４からのコンテンツのデータは、MPEG方式でエンコードされており、AVデコーダ１２６は、そのMPEG方式でエンコードされているコンテンツのデータをデコードする。
【００３２】
そして、AVデコーダ１２６は、デコードの結果得られるベースバンドのコンテンツのデータ（AVデータ）を、AVエンコーダ１２７及び１２８に供給する。
【００３３】
AVエンコーダ１２７は、AVデコーダ１２６からのコンテンツのデータを、出力I/F１１３に接続される機器（例えば、図１のモニタ１０３）に対応したフォーマットのデータにエンコードし、その結果得られるコンテンツのデータを、出力I/F１１３に供給する。
【００３４】
出力I/F１１３は、AVエンコーダ１２７からコンテンツのデータから、PSI/SIコントローラ１２５からのCCIにしたがい、所定の方式のコピーカード(Copy Protection)を施した信号を生成して出力する。
【００３５】
ここで、出力I/F１１３では、コンテンツを、アナログ信号で出力することもできるし、ディジタル信号で出力することもできる。
【００３６】
出力I/F１１３が出力するアナログ信号としては、例えば、コンポジット信号やコンポーネント信号等があり、アナログ信号のコンテンツのコピーガードの方式としては、例えば、CGMS-A(Copy Generation Management System - Analog)等がある。
【００３７】
また、出力I/F１１３が出力するディジタル信号としては、例えば、HDMI(High Definition Multimedia Interface)や、DLNA(Digital Living Network Alliance)，i.link(IEEE(Institute of Electrical and Electronics Engineers)1394)，S/PDIF(Sony Philips Digital InterFace)等の規格に準拠したディジタル信号がある。
【００３８】
HDMIでは、HDCP(High-bandwidth Digital Content Protection)が、DLNA及びi.linkでは、DTCP(Digital Transmission Content Protection)が、それぞれ、コピーガードの方式として用いられる。なお、HDCP及びDTCPでは、出力I/F１１３から、その出力I/F１１３に接続された機器に対して、コンテンツのデータを出力するにあたり、出力I/F１１３と、その出力I/F１１３に接続された機器との間での認証の成功が条件となる。
【００３９】
次に、図２の記録装置１０２では、ディジタル放送の番組としてのコンテンツを記録（録画）を行うことができるが、記録装置１０２は、コンテンツの記録を行う記録モードとして、DR(Direct Recording)モードと、再エンコード(Re-encode)モードとの２つのモードを有している。
【００４０】
DRモードでは、ディジタル放送の信号が、ぼぼ、そのまま記録され、これにより、コンテンツは、ディジタル放送の画質及び音質で記録される。
【００４１】
一方、再エンコードモードでは、ディジタル放送の信号が、デコードされ、さらに、再度エンコードし直されて記録される。
【００４２】
いま、記録装置１０２において、ディジタル放送の番組としてのコンテンツを記録する場合において、記録モードがDRモードとなっているときには、PIDフィルタ１２２の出力が、PRI１２３、及び後述するHD記録制御部１３０を経由して、HD１１２に記録される。
【００４３】
すなわち、DRモードでは、PRI１２３において、記録対象のサービス（チャンネル）のコンテンツのデータをHD１１２に記録するために、PIDフィルタ１２２からのフルTSから、パーシャルTS(Partial-TS)が作成（再構成）され、HD記録制御部１３０に供給される。
【００４４】
なお、PRI１２３におけるパーシャルTSの作成では、フルTSのコンテンツの制御データの幾つかの置換や、追加、削除等の加工が行われるが、音声及び画像のAVデータは、ほとんど加工されない。
【００４５】
PRI１２３において、制御データの加工は、例えば、PSI/SIコントローラ１２５の指示にしたがって行われる。
すなわち、例えば、上述したように、コンテンツのCCIが、例えば、コピーワンスになっている場合、PSI/SIコントローラ１２５は、そのコンテンツのCCIを、コピーワンスからノーモアコピーにするように、PRI１２３及びHD記録制御部１３０に対して指示する。
【００４６】
PRI１２３は、PSI/SIコントローラ１２５の指示にしたがい、PIDフィルタ１２２からのフルTSにおける制御データに含まれるPMTの中のCCIとしてのディジタルコピー記述子を、コピーワンスからノーモアコピーに置換し、又は、制御データの中に、ノーモアコピーのCCIとしての新たな記述子を追加する。
【００４７】
なお、以上のような制御データの加工は、制御データに含まれるPMTの中のCCIとしてのディジタルコピー記述子、又は、新たな記述子を追加する制御データの位置を検出して行う必要があるため、処理に、ある程度の時間を要する。
【００４８】
上述したように、DRモードでは、パーシャルTSが、PRI１２３からHD記録制御部１３０に供給されるとともに、そのパーシャルTSに含まれるコンテンツのCCIの指示が、PSI/SIコントローラ１２５からHD記録制御部１３０に供給される。
【００４９】
HD記録制御部１３０は、HDDタイトルデータベース管理部１３１、HDDファイルシステム１３２、バッファマネージャ１３３、及びATA(Advanced Technology Attachment)コントローラ１３４等から構成され、HD１１２に対するデータの記録と再生を制御する。
【００５０】
すなわち、HD記録制御部１３０において、HDDタイトルデータベース管理部１３１は、HD１１２に記録されるコンテンツを管理するためのタイトルデータベースを生成する。
【００５１】
ここで、タイトルデータベースには、HD１１２に記録されているコンテンツの一覧としてのタイトルリストを表示するときに、そのタイトルリストに表示されるコンテンツのタイトルや、コンテンツを放送したチャンネルの情報、コンテンツが、地上ディジタル、BSディジタル、又はCSディジタルのうちのいずれの放送形態で放送されたかのかを表す情報（以下、適宜、放送形態識別情報という）等が含まれる。
【００５２】
HDDタイトルデータベース管理部１３１は、PSI/SIコントローラ１２５からHD記録制御部１３０に供給される、PSI/SIから抽出された情報を用いてタイトルデータベースを生成する。
【００５３】
また、HDDタイトルデータベース管理部１３１は、PSI/SIコントローラ１２５からの、HD１１２に記録されるコンテンツのCCIの指示にしたがい、タイトルデータベースに、コンテンツのCCI（を表す情報）を登録する。したがって、タイトルデータベースには、CC1も含まれる。
【００５４】
なお、HDDタイトルデータベース管理部１３１で生成されたタイトルデータベースは、HDDファイルシステム１３２、バッファマネージャ１３３、及びATAコントローラ１３４を介して、HDD１３５に供給され、HDD１３５が有するHD１１２に記録される。あるいは、HDDタイトルデータベース管理部１３１で生成されたタイトルデータベースは、例えば、NVRAM(Nonvolatile Random-Access Memory)等の図示せぬ不揮発性のメモリに供給されて記憶される。
【００５５】
HDDファイルシステム１３２には、PRI１２３や、後述するマルチプレクサ１２９からコンテンツのデータ等が供給されるようになっている。そして、HDDファイルシステム１３２は、PRI１２３やマルチプレクサ１２９からコンテンツのデータ等をHD１１２に記録したときにファイルとして扱うことができるように処理をし、そのコンテンツのデータ等を、バッファマネージャ１３３に供給する。
【００５６】
また、HDDファイルシステム１３２は、HD１１２から再生され（読み出され）、バッファマネージャ１３３に一時記憶されて供給されるコンテンツのデータ等を、必要に応じて、後述するCODEC(Coder/Decoder)１３７に供給し、あるいは、図示せぬ経路を経由して、出力I/F１１３から出力させる。
【００５７】
バッファマネージャ１３３は、HDDファイルシステム１３２から供給されるデータを一時記憶し、ATAコントローラ１３４に供給する。また、バッファマネージャ１３３は、HD１１２から再生され、ATAコントローラ１３４を介して供給されるデータを一時記憶し、HDDファイルシステム１３２に供給する。
【００５８】
ここで、バッファマネージャ１３３において、上述のようにデータを一時記憶することにより、例えば、HD１１２に対するデータの記録と再生を、見かけ上同時に行い、あるいは、記録装置１０２がディジタルチューナ１１１の他にディジタルチューナを有する場合に、そのディジタルチューナ１１１と他のディジタルチューナのそれぞれが出力する２つの番組としてのコンテンツを、見かけ上同時に、HD１１２に記録することが可能となる。
【００５９】
ATAコントローラ１３４は、HDD(HD Drive)のI/Fであり、バッファマネージャ１３３からのデータを、HD１１２に記録するように、HDD１３５を制御する。また、ATAコントローラ１３４は、HD１１２に記録されたデータを再生するように、HDD１３５を制御する。
【００６０】
なお、ATAコントローラ１３４は、コンテンツを、いわゆる違法コピーから保護するために、データの暗号化(Encryption)と、暗号の復号(Decryption)とを行う機能を有しており、HD１１２に記録されるデータは、ATAコントローラ１３４で暗号化されてから、HDD１３５に供給される。また、HDD１３５においてHD１１２から再生されたデータ（暗号）は、ATAコントローラ１３４で復号され、バッファマネージャ１３３に供給される。
【００６１】
ここで、コンテンツの記録時や伝送時に、コンテンツを違法コピーから保護する暗号化及び復号を行うコピーガードの方法としては、例えば、CPRM(Content Protection for Prerecorded Media)や、CPS for BD-RE (Content Protection System for Blu-ray)，AACS(Advanced Access Content System)等がある。
【００６２】
以上のように構成されるHD記録制御部１３０では、記録モードがDRモードである場合には、HDDファイルシステム１３２が、PRI１２３から供給されるパーシャルTSをバッファマネージャ１３３に供給する。
【００６３】
バッファマネージャ１３３は、HDDファイルシステム１３２からのデータ、すなわち、いまの場合、パーシャルTSを一時記憶し、ATAコントローラ１３４に供給する。
【００６４】
ATAコントローラ１３４では、バッファマネージャ１３３からのデータとしてのパーシャルTSが暗号化され、HDD１３５に供給される。
【００６５】
HDD１３５では、ATAコントローラ１３４からのパーシャルTSが、内蔵するHD１１２に記録される。
【００６６】
また、HD記録制御部１３０では、HDDタイトルデータベース管理部１３１が、HD１１２にパーシャルTSで記録されたコンテンツについて、タイトルデータベースを生成する。
【００６７】
すなわち、HDDタイトルデータベース管理部１３１は、PSI/SIコントローラ１２５からHD記録制御部１３０に供給される情報等に基づき、HD１１２に記録されたパーシャルTSのコンテンツについて、そのコンテンツのタイトルや、チャンネルの情報、放送形態識別情報、CCI（PSI/SIコントローラ１２５からの指示にしたがったCCI）等を含むタイトルデータベースを生成する。
【００６８】
HDDタイトルデータベース管理部１３１で生成されたタイトルデータベースは、例えば、上述したように、HDDファイルシステム１３２、バッファマネージャ１３３、及びATAコントローラ１３４を介して、HDD１３５に供給され、HD１１２に記録される。
【００６９】
記録モードがDRモードである場合には、以上のように、PIDフィルタ１２２の出力が、PRI１２３、及びHD記録制御部１３０を経由して、HDD１３５に供給されることにより、コンテンツのデータ（としてのパーシャルTS）が、HD１１２に記録されるが、記録モードが再エンコードモードである場合には、PIDフィルタ１２２の出力が、デマルチプレクサ１２４，AVデコーダ１２６，AVエンコーダ１２８、マルチプレクサ１２９、及びHD記録制御部１３０を経由して、HD１１２に記録される。
【００７０】
すなわち、再エンコードモードでは、AVエンコーダ１２８が、AVデコーダ１２６から供給されるベースバンドのコンテンツのデータに対して、適切な信号処理（画像処理や音声処理、その他のデータの加工や抽出等の処理）を施し、所定のフォーマットのデータにエンコードして、マルチプレクサ１２９に供給する。
【００７１】
マルチプレクサ１２９は、AVエンコーダ１２８からの所定のフォーマットのコンテンツのデータと、PSI/SIコントローラ１２５から指示されたCCI等とを多重化することにより、例えば、DVDに記録することができるMPEG-PS(Program Stream)や、AVC-HD(Advanced Video Codec High Definition)などの多重化データを得て、HD記録制御部１３０に供給する。
【００７２】
HD記録制御部１３０では、マルチプレクサ１２９からの多重化データが、上述のDRモードの場合と同様にして、HD１１２に記録される。
【００７３】
すなわち、HD記録制御部１３０では、HDDファイルシステム１３２が、マルチプレクサ１２９から供給される多重化データをバッファマネージャ１３３に供給する。
【００７４】
バッファマネージャ１３３は、HDDファイルシステム１３２からのデータ、すなわち、いまの場合、多重化データを一時記憶し、ATAコントローラ１３４に供給する。
【００７５】
ATAコントローラ１３４では、バッファマネージャ１３３からの多重化データが暗号化され、HDD１３５に供給される。
【００７６】
HDD１３５では、ATAコントローラ１３４からの多重化データが、内蔵するHD１１２に記録される。
【００７７】
また、HD記録制御部１３０では、HDDタイトルデータベース管理部１３１が、HD１１２に多重化データで記録されたコンテンツについて、タイトルデータベースを生成する。
【００７８】
すなわち、HDDタイトルデータベース管理部１３１は、PSI/SIコントローラ１２５からHD記録制御部１３０に供給される情報等に基づき、HD１１２に記録された多重化データのコンテンツについて、そのコンテンツのタイトルや、チャンネルの情報、放送形態識別情報、CCI（PSI/SIコントローラ１２５からの指示にしたがったCCI）等を含むタイトルデータベースを生成する。
【００７９】
HDDタイトルデータベース管理部１３１で生成されたタイトルデータベースは、例えば、上述したように、HDDファイルシステム１３２、バッファマネージャ１３３、及びATAコントローラ１３４を介して、HDD１３５に供給され、HD１１２に記録される。
【００８０】
なお、記録装置１０２の記録モードは、DRモード又は再エンコードモードのうちのいずれか一方のみとすることができる。記録装置１０２の記録モードを、DRモードのみとする場合には、再エンコードモードのみで使用されるAVエンコーダ１２８及びマルチプレクサ１２９は不要となる。また、記録装置１０２の記録モードを、再エンコードモードのみとする場合には、DRモードのみで使用されるPRI１２３は不要となる。
【００８１】
次に、記録装置１０２が内蔵するHD１１２に記録されたコンテンツは、HD１１２以外の記録媒体にダビングすることができる。
【００８２】
すなわち、記録装置１０２は、リムーバブルメディア１１４を駆動するドライブ１４１を有し、そのドライブ１４１に対して、リムーバブルメディア１１４の着脱が可能になっており、記録装置１０２では、ドライブ１４１に装着されたリムーバブルメディア１１４に対し、HD１１２に記録されたコンテンツを、必要に応じてダビングすることができるようになっている。
【００８３】
HD１１２に記録されたコンテンツを、リムーバブルメディア１１４にダビングする場合には、ダビング制御部１３６が、HD記録制御部１３０や、CODEC１３７、及びリムーバブルメディア記録制御部１３８等を制御し、これにより、HD１１２に記録されたコンテンツが、HD記録制御部１３０，CODEC１３７、及びリムーバブルメディア記録制御部１３８を経由して、リムーバブルメディア１１４に記録される。
【００８４】
具体的には、ダビング制御部１３６は、HD１１２から、ダビング対象（ダビングの対象）のコンテンツのデータを、HD１１２から再生するように、HD記録制御部１３０を制御する。
【００８５】
ここで、ダビング制御部１３６は、必要に応じて、記録装置１０２を構成する各ブロックの制御等を行うようになっており、したがって、制御等の対象となるブロックと接続されているが、その接続を表す接続線は、図が煩雑になるため、図示を省略してある。
【００８６】
HD記録制御部１３０では、ダビング制御部１３６の制御にしたがい、HDD１３５が内蔵するHD１１２から、ダビング対象のコンテンツのデータが再生され、ATAコントローラ１３４、バッファマネージャ１３３、及びHDDファイルシステム１３２を介して、CODEC１１３７に供給される。
【００８７】
CODEC１３７は、HD記録制御部１３０からのコンテンツのデータに対し、必要に応じて、レート変換やフォーマット変換等の変換処理を施して、リムーバブルメディア記録制御部１３８に供給する。
【００８８】
ここで、HD１１２からリムーバブルメディア１１４等へのコンテンツのダビングにあたり、HD１１２からリムーバブルメディア１１４等へのデータの転送としては、例えば、４倍速などの高速な転送である高速転送が行われる場合と、例えば、１倍速などの低速な転送である再エンコード転送（低速転送）が行われる場合とがある。
【００８９】
ダビング対象のコンテンツが高速転送されるか、又は、再エンコード転送されるかは、ダビング対象のコンテンツに変換処理を施す必要がないかどうか、さらには、ダビング対象のコンテンツに施すべき変換処理の複雑さや、変換処理に要する処理時間等によって決まる。
【００９０】
例えば、HD１１２に記録されているダビング対象のコンテンツのデータのフォーマットと、リムーバブルメディア１１４に記録されるデータのフォーマットとの同一性が高く、変換処理が必要でないか、又は必要であっても、簡単で、処理時間が短い変換処理である場合には、ダビング対象のコンテンツを、HD１１２からリムーバブルメディア１１４に高速転送することができる。
【００９１】
一方、例えば、HD１１２に記録されているダビング対象のコンテンツのデータのフォーマットと、リムーバブルメディア１１４に記録されるデータのフォーマットとの同一性が低く、複雑で、処理時間を要する変換処理を行うことが必要である場合には、ダビング対象のコンテンツは、再エンコード転送される。
【００９２】
ここで、以下、適宜、高速転送で行われるダビングを、高速ダビングといい、再エンコード転送で行われるダビングを、再エンコードダビングという。
【００９３】
例えば、ダビング対象のコンテンツのデータが、DRモードで記録されたパーシャルTSであり、リムーバブルメディア１１４が、ブルーレイディスクである場合には、パーシャルTSは、変換処理を行わずに、ブルーレイディスクに記録することができるので、高速ダビングを行うことができる。
【００９４】
また、例えば、ダビング対象のコンテンツのデータが、再エンコードモードで記録されたMPEG-PSであり、リムーバブルメディア１１４が、DVDである場合には、MPEG-PSは、変換処理を行わずに、DVDに記録することができるので、高速ダビングを行うことができる。
【００９５】
一方、例えば、ダビング対象のコンテンツのデータが、DRモードで記録されたパーシャルTSであり、リムーバブルメディア１１４が、DVDである場合には、ダビング対象のコンテンツのデータとしてのパーシャルTSは、DVDに記録することができるMPEG-PSに変換する必要があるので、高速転送を行うことができず、その結果、再エンコードダビングが行われることになる。
【００９６】
リムーバブルメディア記録制御部１３８は、ドライブ１４１を制御することにより、CODEC１３７から供給されるコンテンツのデータを、ドライブ１４１に装着されたリムーバブルメディア１１４に記録する。
【００９７】
ここで、リムーバブルメディア記録制御部１３８は、タイトルデータベース管理部１３９、及びファイルシステム１４０等から構成され、ドライブ１４１に装着されたリムーバブルメディア１１４に対するデータの記録と再生を制御する。
【００９８】
すなわち、リムーバブルメディア記録制御部１３８において、タイトルデータベース管理部１３９は、HDDタイトルデータベース管理部１３１と同様に、リムーバブルメディア１１４に記録されるコンテンツを管理するタイトルデータベースを生成する。
【００９９】
なお、HD１１２からリムーバブルメディア１１４に対して、コンテンツのダビングを行うときに、タイトルデータベース管理部１３９がタイトルデータベースを生成するのに必要な情報は、HD１１２から、HD記録制御部１３０及びCODEC１３７を介して、リムーバブルメディア記録制御部１３８のタイトルデータベース管理部１３９に供給される。
【０１００】
また、タイトルデータベース管理部１３９が生成したタイトルデータベースは、必要に応じて、ドライブ１４１に装着されたリムーバブルメディア１１４に記録される。
【０１０１】
ファイルシステム１４０は、CODEC１３７から供給されるコンテンツのデータ等をリムーバブルメディア１１４に記録したときにファイルとして扱うことができるように処理をし、ドライブ１４１に供給する。
【０１０２】
また、ファイルシステム１４０は、ドライブ１４１から供給される、リムーバブルメディア１１４から再生された（読み出された）コンテンツのデータ等を、必要に応じて、図示せぬ経路を経由して、出力I/F１１３から出力させる。
【０１０３】
以上のように構成されるリムーバブルメディア記録制御部１３８では、CODEC１３７からダビング対象のコンテンツのデータが供給されると、ファイルシステム１４０が、そのコンテンツのデータを、ドライブ１４１に供給して、リムーバブルメディア１１４に記録させる。
【０１０４】
また、リムーバブルメディア記録制御部１３８では、タイトルデータベース管理部１３９が、リムーバブルメディア１１４に記録されたコンテンツについて、タイトルデータベースを生成する。
【０１０５】
タイトルデータベース管理部１３９で生成されたタイトルデータベースは、例えば、ファイルシステム１４０を介して、ドライブ１４１に供給され、リムーバブルメディア１１４に記録される。
【０１０６】
なお、リムーバブルメディア記録制御部１３８は、HD記録制御部１３０と同様に、データの暗号化と、暗号の復号とを行う機能を有しており、リムーバブルメディア１１４に記録されるデータは、暗号化されてから、ドライブ１４１に供給される。また、ドライブ１４１においてリムーバブルメディア１１４から再生されたデータ（暗号）は、リムーバブルメディア記録制御部１３８で復号される。
【０１０７】
以上のように、記録装置１０２が内蔵するHD１１２に記録されたコンテンツを、HD１１２以外の記録媒体である、例えば、リムーバブルメディア１１４にダビングする場合においては、ダビング制御部１３６は、HDDタイトルデータベース管理部１３１を制御することにより、HD１１２から、ダビング対象のコンテンツのタイトルデータベースを再生させ、そのタイトルデータベースを参照することにより、ダビング対象のコンテンツのCCIを認識する。
【０１０８】
ダビング対象のコンテンツのCCIが、例えば、コピーフリーになっている場合、ダビング制御部１３６は、ダビング対象のコンテンツがリムーバブルメディア１１４に記録された後、HD１１２に記録されたダビング対象のコンテンツのタイトルデータベース（さらには、HD１１２に記録されたダビング対象のコンテンツのデータ）を、消去せずに、そのまま維持する。
【０１０９】
したがって、この場合、ダビング対象のコンテンツが、HD１１２に記録されたまま、リムーバブルメディア１１４にも記録される、コンテンツのコピー(copy)が行われる。
【０１１０】
また、ダビング対象のコンテンツのCCIが、例えば、ノーモアコピーになっている場合、ダビング制御部１３６は、ダビング対象のコンテンツがリムーバブルメディア１１４に記録された後、HD１１２に記録されたダビング対象のコンテンツのタイトルデータベースを消去するように、HD記録制御部１３０のHDDタイトルデータベース管理部１３１を制御する。なお、ダビング対象のコンテンツのタイトルデータベースが消去されることにより、HD１１２にダビング対象のコンテンツのデータが残っていても、そのデータにアクセスすることはできなくなり、いわば実質的に、ダビング対象のコンテンツのデータがHD１１２から消去される。
【０１１１】
したがって、この場合、ダビング対象のコンテンツを、HD１１２からリムーバブルメディア１１４に移動する、コンテンツのムーブ(move)が行われる。
【０１１２】
なお、ムーブについては、例えば、特許文献１に記載されている。
【０１１３】
【特許文献１】特開2003-016725号公報
【発明の開示】
【発明が解決しようとする課題】
【０１１４】
上述のように、CCIがノーモアコピーになっているコンテンツのダビングとして、ムーブが行われるのは、コンテンツの著作権の保護の要請によるものであるが、これに起因して、ユーザ（視聴者）側において、地上アナログ放送ではできたことが地上ディジタル放送ではできないようなことが生じている。
【０１１５】
すなわち、地上アナログ放送では、特に、コピーガードの処理が施されないため、地上アナログ放送で放送される番組としてのコンテンツは、CCIがコピーフリーになっているコンテンツと同様に、自由にコピーをすることができ、したがって、地上アナログ放送の番組は、例えば、HD１１２からリムーバブルメディア１１４にダビングした後、再度、HD１１２から他のリムーバブルメディアにダビングし、あるいは、ダビング後のリムーバブルメディア１１４から、他のリムーバブルメディアにさらにダビングすることができる。
【０１１６】
以上のように、地上アナログ放送の番組は、自由にコピーをすることができるので、例えば、学校の教師が、授業の教材用に録画した番組を、複数のリムーバブルメディアにダビングして、複数の生徒に配布することや、ダビング後のリムーバブルメディアが何らかの理由で再生することができない状態になっても、再度、他のリムーバブルメディアにダビングすることができる。
【０１１７】
一方、地上ディジタル放送では、ほとんどの番組のCCIが、コピーワンスとされている。
【０１１８】
記録装置１０２では、CCIがコピーワンスの番組としてのコンテンツが、HD１１２に記録される場合、上述したように、そのコンテンツのCCIは、コピーワンスからノーモアコピーに変更される。
【０１１９】
そして、記録装置１０２において、その内蔵するHD１１２からリムーバブルメディア１１４への、CCIがノーモアコピーのコンテンツのダビングは、ムーブの形で行われ、HD１１２からリムーバブルメディア１１４にコンテンツを記録した後、HD１１２に記録されたコンテンツは消去される。
【０１２０】
以上のように、地上ディジタル放送の番組は、HD１１２からリムーバブルメディア１１４にダビングすると、HD１１２から消去されるため、複数のリムーバブルメディアにダビングすることができず、したがって、学校の教師が、授業の教材用に録画した番組を、複数のリムーバブルメディアにダビングして、複数の生徒に配布する、といった、いままでできたことができなくなる。
【０１２１】
また、地上ディジタル放送の番組としてのコンテンツのダビング後のリムーバブルメディア１１４が何らかの理由で再生することができない状態になった場合や、ダビングにおいて、コンテンツをリムーバブルメディア１１４に記録する際に正常に記録をすることができなかった場合には、リムーバブルメディア１１４にダビングされたコンテンツは、HD１１２から消去されているため、再度、他のリムーバブルメディアにダビングすることができず、したがって、ユーザは、そのコンテンツを失うことになる。
【０１２２】
さらに、例えば、上述したように、ダビング対象のコンテンツのデータが、DRモードで記録されたパーシャルTSである場合において、リムーバブルメディア１１４が、ブルーレイディスクであるときには、コンテンツのデータであるパーシャルTSは、変換処理を行わずに、ブルーレイディスクであるリムーバブルメディア１１４に記録されるので、ブルーレイディスクであるリムーバブルメディア１１４に記録されたコンテンツの画質や音質に劣化は生じない。
【０１２３】
一方、リムーバブルメディア１１４が、DVDであるときには、ダビング対象のコンテンツのデータとしてのパーシャルTSは、DVDに記録することができるMPEG-PSに変換する変換処理が施されてから、DVDであるリムーバブルメディア１１４に記録されるので、DVDであるリムーバブルメディア１１４に記録されたMPEG-PSのコンテンツの画質等は、元のパーシャルTSのコンテンツの画質等に比較して劣化する。
【０１２４】
したがって、HD１１２に記録されたパーシャルTSのコンテンツを、DVDにダビングし、そのDVDに記録されたコンテンツの画質等を確認した後に、画質等の劣化を理由として、コンテンツを、ブルーレイディスクにダビングし直そうとしても、HD１１２からDVDへのダビング時に、HD１１２に記録されていたパーシャルTSのコンテンツは消去されているため、ブルーレイディスクへのダビングのし直しをすることができない。
【０１２５】
以上のように、地上アナログ放送ではできたようなことが地上ディジタル放送ではできないのは、ユーザにとって極めて不便である。
【０１２６】
一方、CCIがノーモアコピーのコンテンツのダビングを無制限に認めることは、著作権の保護の観点から適切でない。
【０１２７】
本発明は、このような状況に鑑みてなされたものであり、コンテンツのダビングを柔軟に行うことができるようにして、例えば、ユーザの不便を解消することができるようにするものである。
【課題を解決するための手段】
【０１２８】
本発明の一側面の記録装置は、コンテンツを、コンテンツ記録媒体に記録する記録装置であり、前記コンテンツ記録媒体に記録されたコンテンツを、ダビングのために、他のコンテンツ記録媒体に記録させるダビング手段と、前記コンテンツ記録媒体に記録されたコンテンツが、所定の条件を満たすか否かを判定する判定手段と、コピーを制御するコピー制御情報がコピーの禁止を表すノーモアコピーになっているコンテンツが、前記所定の条件を満たさないときには、そのコンテンツを、前記コンテンツ記録媒体から前記他のコンテンツ記録媒体に記録した後に、前記コンテンツ記録媒体から消去し、前記コピー制御情報が前記ノーモアコピーになっているコンテンツが、前記所定の条件を満たすときには、そのコンテンツを、前記コンテンツ記録媒体から前記他のコンテンツ記録媒体に記録した後に、前記コンテンツ記録媒体にそのまま残す制御を行う制御手段とを備える。
【０１２９】
本発明の一側面の制御方法、又は、プログラムは、コンテンツを、コンテンツ記録媒体に記録する記録装置を制御する制御方法、又は、記録装置を制御するコンピュータに実行させるプログラムであり、前記コンテンツ記録媒体に記録されたコンテンツを、ダビングのために、他のコンテンツ記録媒体に記録させ、前記コンテンツ記録媒体に記録されたコンテンツが、所定の条件を満たすか否かを判定し、コピーを制御するコピー制御情報がコピーの禁止を表すノーモアコピーになっているコンテンツが、前記所定の条件を満たさないときには、そのコンテンツを、前記コンテンツ記録媒体から前記他のコンテンツ記録媒体に記録した後に、前記コンテンツ記録媒体から消去し、前記コピー制御情報が前記ノーモアコピーになっているコンテンツが、前記所定の条件を満たすときには、そのコンテンツを、前記コンテンツ記録媒体から前記他のコンテンツ記録媒体に記録した後に、前記コンテンツ記録媒体にそのまま残す制御を行うステップを含む。
【０１３０】
以上のような一側面においては、前記コンテンツ記録媒体に記録されたコンテンツが、ダビングのために、他のコンテンツ記録媒体に記録される。また、前記コンテンツ記録媒体に記録されたコンテンツが、所定の条件を満たすか否かが判定され、コピーを制御するコピー制御情報がコピーの禁止を表すノーモアコピーになっているコンテンツが、前記所定の条件を満たさないときには、そのコンテンツが、前記コンテンツ記録媒体から前記他のコンテンツ記録媒体に記録された後に、前記コンテンツ記録媒体から消去される。一方、前記コピー制御情報が前記ノーモアコピーになっているコンテンツが、前記所定の条件を満たすときには、そのコンテンツが、前記コンテンツ記録媒体から前記他のコンテンツ記録媒体に記録された後に、前記コンテンツ記録媒体にそのまま残される。
【０１３１】
なお、プログラムは、伝送媒体を介して伝送し、又は記録媒体に記録して配布することができる。
【０１３２】
また、記録装置は、独立した装置であっても良いし、記録再生装置において記録を行うブロックであっても良い。
【発明の効果】
【０１３３】
本発明の一側面によれば、コンテンツのダビングを柔軟に行うことができる。
【発明を実施するための最良の形態】
【０１３４】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【０１３５】
本発明の一側面の記録装置は、
コンテンツを、コンテンツ記録媒体（例えば、図３のHD１１２）に記録する記録装置（例えば、図３の記録装置２０２）であり、
前記コンテンツ記録媒体に記録されたコンテンツを、ダビングのために、他のコンテンツ記録媒体（例えば、図３のリムーバブルメディア１１４や、図１０の記録媒体３１３）に記録させるダビング手段（例えば、図９のステップＳ７２やＳ７３の処理を行う図４のダビング制御部２３６）と、
前記コンテンツ記録媒体に記録されたコンテンツが、所定の条件を満たすか否かを判定する判定手段（例えば、図９のステップＳ７４の処理を行う図４のダビング制御部２３６）と、
コピーを制御するコピー制御情報がコピーの禁止を表すノーモアコピーになっているコンテンツが、前記所定の条件を満たさないときには、そのコンテンツを、前記コンテンツ記録媒体から前記他のコンテンツ記録媒体に記録した後に、前記コンテンツ記録媒体から消去し、
前記コピー制御情報が前記ノーモアコピーになっているコンテンツが、前記所定の条件を満たすときには、そのコンテンツを、前記コンテンツ記録媒体から前記他のコンテンツ記録媒体に記録した後に、前記コンテンツ記録媒体にそのまま残す
制御を行う制御手段（例えば、図９のステップＳ７５の処理を行う図４のダビング制御部２３６）と
を備える。
【０１３６】
一側面の記録装置において、
前記コンテンツ記録媒体は、前記記録装置が内蔵する記録媒体（例えば、図３のHD１１２）とすることができ、
前記他のコンテンツ記録媒体は、前記記録装置に着脱可能な記録媒体（例えば、図３のリムーバブルメディア１１４）、又は、外部の装置である外部機器（例えば、図１０の外部機器３１２）によって記録と再生が行われる記録媒体（例えば、図１０の記録媒体３１３）とすることができる。
【０１３７】
一側面の記録装置には、
送信されてきたコンテンツのデータに含まれる、AV（Audio Visual）データと制御に用いられる制御データとのうちの、前記制御データから、コンテンツの前記コピー制御情報を求め、前記コピー制御情報が１度のコピーの許可を表すコピーワンスになっているときに、前記コピー制御情報をノーモアコピーにして、コンテンツを前記コンテンツ記録媒体に記録することを指示する記録指示手段（例えば、図４のPSI/SIコントローラ１２５）と、
前記記録指示手段の指示にしたがい、前記コンテンツ記録媒体に記録されたコンテンツを管理するためのタイトルデータベースであって、少なくとも前記コピー制御情報を含むタイトルデータベースを生成するタイトルデータベース生成手段（例えば、図４のHDDタイトルデータベース管理部１３１）と
をさらに設けることができ、この場合、
前記制御手段には、
前記タイトルベースに含まれる前記コピー制御情報がノーモアコピーになっているコンテンツが、前記所定の条件を満たさないときには、そのコンテンツを、前記コンテンツ記録媒体から前記他のコンテンツ記録媒体に記録した後に、前記コンテンツ記録媒体から消去し、
前記タイトルベースに含まれる前記コピー制御情報が前記ノーモアコピーになっているコンテンツが、前記所定の条件を満たすときには、そのコンテンツを、前記コンテンツ記録媒体から前記他のコンテンツ記録媒体に記録した後に、前記コンテンツ記録媒体にそのまま残す
制御を行わせることができる。
【０１３８】
本発明の一側面の制御方法、又は、プログラムは、
コンテンツを、コンテンツ記録媒体（例えば、図３のHD１１２）に記録する記録装置（例えば、図３の記録装置２０２）を制御する制御方法、又は、記録装置を制御するコンピュータに実行させるプログラムであり、
前記コンテンツ記録媒体に記録されたコンテンツを、ダビングのために、他のコンテンツ記録媒体（例えば、図３のリムーバブルメディア１１４や、図１０の記録媒体３１３）に記録させ（例えば、図９のステップＳ７２やＳ７３）、
前記コンテンツ記録媒体に記録されたコンテンツが、所定の条件を満たすか否かを判定し（例えば、図９のステップＳ７４）、
コピーを制御するコピー制御情報がコピーの禁止を表すノーモアコピーになっているコンテンツが、前記所定の条件を満たさないときには、そのコンテンツを、前記コンテンツ記録媒体から前記他のコンテンツ記録媒体に記録した後に、前記コンテンツ記録媒体から消去し、
前記コピー制御情報が前記ノーモアコピーになっているコンテンツが、前記所定の条件を満たすときには、そのコンテンツを、前記コンテンツ記録媒体から前記他のコンテンツ記録媒体に記録した後に、前記コンテンツ記録媒体にそのまま残す
制御を行う（例えば、図９のステップＳ７５）
ステップを含む。
【０１３９】
以下、図面を参照して、本発明の実施の形態について説明する。
【０１４０】
図３は、本発明を適用した放送システムの一実施の形態の構成例を示している。
【０１４１】
なお、図中、図１の場合と対応する部分については、同一の符号を付してあり、以下では、その説明は、適宜、省略する。
【０１４２】
すなわち、図３の放送システムは、記録装置１０２に代えて、記録装置２０２が設けられている他は、図１の場合と同様に構成されている。
【０１４３】
記録装置２０２は、図１の記録装置１０２と同様に、ディジタルチューナ１１１、HD１１２、及び出力I/F１１３等を有しており、リムーバブルメディア１１４の着脱が可能になっている。
【０１４４】
図３の放送システムでは、送信装置１０１からの放送信号が、記録装置２０２のディジタルチューナ１１１で受信され、その放送信号に含まれるコンテンツが、出力I/F１１３を介して、モニタ１０３に供給されて表示等される。
【０１４５】
さらに、記録装置２０２では、ディジタルチューナ１１１で受信された放送信号に含まれるコンテンツが、必要に応じて、HD１１２に記録（録画）される。
【０１４６】
また、記録装置２０２では、そこに装着されたリムーバブルメディア１１４等に対し、HD１１２に記録されたコンテンツを、必要に応じてダビングすることができるようになっている。
【０１４７】
図４は、図３の記録装置２０２の、より詳細な構成例を示している。
【０１４８】
なお、図中、図２の記録装置１０２の場合と対応する部分については、同一の符号を付してあり、以下では、その説明は、適宜省略する。
【０１４９】
すなわち、記録装置２０２は、ダビング制御部１３６（図２）に代えて、ダビング制御部２３６が設けられている他は、図２の記録装置１０２と同様に構成されている。
【０１５０】
ダビング制御部２３６は、図２のダビング制御部１３６と同様に、HD１１２に記録されたコンテンツを、リムーバブルメディア１１４等にダビングする場合に、HD記録制御部１３０や、CODEC１３７、及びリムーバブルメディア記録制御部１３８等を制御する。
【０１５１】
但し、図２の記録装置１０２のダビング制御部１３６は、ダビング対象のコンテンツのCCIがノーモアコピーである場合、そのコンテンツを、HD１１２からリムーバブルメディア１１４に記録した後、必ず、HD１１２から消去するように、HD記録制御部１３０を制御するが、図４の記録装置２０２では、ダビング制御部２３６は、CCIがノーモアコピーのコンテンツが所定の条件を満たすかどうかを判定するようになっている。
【０１５２】
そして、ダビング制御部２３６は、CCIがノーモアコピーになっているコンテンツが、所定の条件を満たさないときには、ダビング制御部１３６と同様に、そのコンテンツを、HD１１２からリムーバブルメディア１１４に記録した後に、HD１１２から削除するように、HD記録制御部１３０を制御するが、CCIがノーモアコピーになっているコンテンツが、所定の条件を満たすときには、そのコンテンツを、HD１１２からリムーバブルメディア１１４に記録した後に、HD１１２にそのまま残すように、HD記録制御部１３０を制御する。
【０１５３】
したがって、記録装置２０２では、CCIがノーモアコピーになっているコンテンツであっても、そのコンテンツが所定の条件を満たすときには、そのコンテンツは、HD１１２からリムーバブルメディア１１４に記録された後も、HD１１２にそのまま残っているので、リムーバブルメディア１１４にダビングし直したり、他のリムーバブルメディアにダビングすることができる。
【０１５４】
なお、ダビング制御部２３６は、必要に応じて、記録装置２０２を構成する各ブロックの制御等を行うようになっており、したがって、制御等の対象となるブロックと接続されているが、その接続を表す接続線は、図が煩雑になるため、図示を省略してある。
【０１５５】
以上のように構成される記録装置２０２では、図２の記録装置１０２と同様に、ディジタル放送の番組としてのコンテンツを、HD１１２に記録（録画）することができる。また、記録装置２０２では、HD１１２に記録されたコンテンツを、リムーバブルメディア１１４にダビングすることができる。
【０１５６】
記録装置２０２において、コンテンツをダビングする場合、図２の記録装置１０２と同様に、HD１１２に記録されたダビング対象のコンテンツが、HD記録制御部１３０、CODEC１３７、及びリムーバブルメディア記録制御部１３８を介して、ドライブ１４１に供給され、リムーバブルディスク１１４に記録される。
【０１５７】
そして、その際、CODEC１３７では、図２で説明したように、必要に応じて、コンテンツのデータに変換処理が施される。
【０１５８】
すなわち、例えば、ダビング対象のコンテンツのデータが、DRモードで記録されたパーシャルTSであり、リムーバブルメディア１１４が、ブルーレイディスクである場合には、パーシャルTSは、変換処理を行わずに、ブルーレイディスクに記録することができるので、HD１１２から再生されたダビング対象のコンテンツのデータとしてのパーシャルTSを、CODEC１３７をバイパスして、リムーバブルメディア記録制御部１３８に供給する高速転送が行われる。
【０１５９】
したがって、この場合、高速ダビングを行うことができる。
【０１６０】
また、例えば、ダビング対象のコンテンツのデータが、DRモードで記録されたパーシャルTSであるが、リムーバブルメディア１１４が、DVDである場合には、ダビング対象のコンテンツのデータとしてのパーシャルTSは、DVDに記録することができるMPEG-PSに変換する必要があるので、HD１１２から再生されたダビング対象のコンテンツのデータとしてのパーシャルTSに、CODEC１３７において変換処理を施すことによって、MPEG-PSとし、そのMPEG-PSのコンテンツのデータを、リムーバブルメディア記録制御部１３８に供給する再エンコード転送が行われる。
【０１６１】
したがって、この場合、再エンコードダビングが行われる。
【０１６２】
図５は、上述のように、パーシャルTSから、DVDに記録することができるMPEG-PSに変換する変換処理を行う場合のCODEC１３７の構成例を示している。
【０１６３】
図５において、CODEC１３７は、PIDフィルタ２５１、デマルチプレクサ２５２，PSI/SIコントローラ２５３，AVデコーダ２５４、及びマルチプレクサ２５６等から構成されている。
【０１６４】
HD１１２（図４）からリムーバブルメディア１１４のダビング時には、HD１１２から再生されたダビング対象のコンテンツのデータとしてのパーシャルTSが、HD記録制御部１３０のHDDファイルシステム１３２から、CODEC１３７のPIDフィルタ２５１に供給される。
【０１６５】
PIDフィルタ２５１は、HD記録制御部１３０のHDDファイルシステム１３２からのパーシャルTSを構成するTSパケットから、パーシャルTSをMPEG-PSに変換するのに必要なPIDのTSパケットを抽出し、デマルチプレクサ２５２に供給する。
【０１６６】
デマルチプレクサ２５２は、PIDフィルタ２５１からのパーシャルTSのTSパケットを、画像、音声、制御データ（のTSパケット）に分離する。そして、デマルチプレクサ２５２は、コンテンツの画像及び音声のAVデータを、AVデコーダ２５４に供給し、制御データを、PSI/SIコントローラ２５３に供給する。
【０１６７】
PSI/SIコントローラ２５３は、PSI/SIコントローラ１２５（図４）と同様に、デマルチプレクサ２５２からの制御データを分析することにより、PSI/SIを構成する。
【０１６８】
さらに、PSI/SIコントローラ２５３は、PSI/SIに含まれるCCIとしてのディジタルコピー制御記述子に基づき、ダビング対象のコンテンツのCCIを認識し、そのCCIが、例えば、ノーモアコピーになっている場合には、ダビング対象のコンテンツのCCIをノーモアコピーとする指示を、マルチプレクサ２５６と、リムーバブルメディア記録制御部１３８のタイトルデータベース管理部１３９に供給する。
【０１６９】
一方、AVデコーダ２５４では、デマルチプレクサ２５２からのコンテンツのデータをデコードする。すなわち、デマルチプレクサ２５２からのコンテンツのデータは、MPEG方式でエンコードされており、AVデコーダ２５４は、そのMPEG方式でエンコードされているコンテンツのデータをデコードする。
【０１７０】
そして、AVデコーダ２５４は、デコードの結果得られるベースバンドのコンテンツのデータ（AVデータ）を、AVエンコーダ２５５に供給する。
【０１７１】
AVエンコーダ２５５は、AVエンコーダ１２８（図４）と同様に、AVデコーダ２５４から供給されるベースバンドのコンテンツのデータに対して、適切な信号処理を施し、所定のフォーマットのデータにエンコードして、マルチプレクサ２５６に供給する。
【０１７２】
マルチプレクサ２５６は、AVエンコーダ２５５からの所定のフォーマットのコンテンツのデータと、PSI/SIコントローラ２５３から指示されたCCI等とを多重化すること等により、DVDに記録することができるMPEG-PSである多重化データを生成し、そのMPEG-PSのコンテンツのデータを、リムーバブルメディア記録制御部１３８のファイルシステム１４０に供給する。
【０１７３】
リムーバブルメディア記録制御部１３８では、ファイルシステム１４０が、CODEC１３７のマルチプレクサ２５６からのコンテンツのデータとしてのMPEG-PSを、ドライブ１４１（図４）に供給して、リムーバブルメディア１１４に記録させる。
【０１７４】
また、リムーバブルメディア記録制御部１３８では、タイトルデータベース管理部１３９が、リムーバブルメディア１１４に記録（ダビング）されたコンテンツについて、CODEC１３７のPSI/SIコントローラ２５３からの指示にしたがったCCIを含むタイトルデータベースを生成する。
【０１７５】
タイトルデータベース管理部１３９で生成されたタイトルデータベースは、例えば、ファイルシステム１４０を介して、ドライブ１４１に供給され、リムーバブルメディア１１４に記録される。
【０１７６】
次に、図６のフローチャートを参照して、図４の記録装置２０２が、ディジタル放送の番組としてのコンテンツを、HD１１２に記録（録画）する記録処理について説明する。
【０１７７】
ステップＳ１１において、ディジタルチューナ１１１が、送信装置１０１（図３）によるディジタル放送の放送信号を受信し、その放送信号を復調等することにより、フルTSのMPEG-TSを得て、デスクランブラ１２１に供給する。
【０１７８】
処理は、ステップＳ１１からステップＳ１２に進み、デスクランブラ１２１が、ディジタルチューナ１１１からのフルTSにかけられているスクランブルを解くデスクランブル処理を行い、そのデスクランブル処理後のフルTSを、PIDフィルタ１２２に供給する。
【０１７９】
さらに、ステップＳ１２では、PIDフィルタ１２２が、デスクランブラ１２１からのフルTSを構成するTSパケットのうちの、PIDが所定の値のTSパケット、すなわち、HD１１２に記録する対象（記録対象）のコンテンツの画像や音声のAVデータや、制御データが含まれるTSパケットを抽出し、PRI１２３とデマルチプレクサ１２４に供給して、処理は、ステップＳ１３に進む。
【０１８０】
ステップＳ１３では、デマルチプレクサ１２４が、PIDフィルタ１２２からのフルTSのTSパケットを、画像、音声、制御データ（のTSパケット）に分離し、コンテンツの画像及び音声のAVデータを、AVデコーダ１２６に供給するとともに、制御データを、PSI/SIコントローラ１２５に供給して、処理は、ステップＳ１４に進む。
【０１８１】
ステップＳ１４では、PSI/SIコントローラ１２５が、デマルチプレクサ１２４からの制御データから、PSI/SIを構成し、そのPSI/SIから必要な情報を抽出して、PRI１２３やHD記録制御部１３０等に供給する。
【０１８２】
さらに、PSI/SIコントローラ１２５は、PSI/SIに含まれるディジタルコピー制御記述子から、記録対象のコンテンツのCCIを認識し、そのCCIから、記録対象のコンテンツの記録や出力を行うときのCCI（以下、適宜、更新CCIという）を求めて、出力I/F１１３，PRI１２３、マルチプレクサ１２９、及びHD記録制御部１３０に供給する。
【０１８３】
ここで、PSI/SIコントローラ１２５は、PSI/SIに含まれるディジタルコピー制御記述子から認識した記録対象のコンテンツのCCIがコピーフリーである場合には、更新CCIをコピーフリーとする。また、PSI/SIコントローラ１２５は、PSI/SIに含まれるディジタルコピー制御記述子から認識した記録対象のコンテンツのCCIがコピーワンスである場合には、更新CCIをノーモアコピーとする。
【０１８４】
なお、PSI/SIに含まれるディジタルコピー制御記述子から認識した記録対象のコンテンツのCCIが、ノーモアコピー、又はコピーネバーである場合、そのコンテンツのHD１１２への記録は、禁止されているので行われない。
【０１８５】
処理は、ステップＳ１４からステップＳ１５に進み、AVデコーダ１２６が、デマルチプレクサ１２４からのコンテンツのデータをデコードし、その結果得られるベースバンドのコンテンツのデータ（AVデータ）を、AVエンコーダ１２７及び１２８に供給する。
【０１８６】
さらに、ステップＳ１５では、AVエンコーダ１２７が、AVデコーダ１２６からのコンテンツのデータを、出力I/F１１３に接続される機器（例えば、図３のモニタ１０３）に対応したフォーマットのデータにエンコードし、その結果得られるコンテンツのデータを、出力I/F１１３に供給する。
【０１８７】
出力I/F１１３は、AVエンコーダ１２７からコンテンツのデータから、PSI/SIコントローラ１２５からのCCIにしたがい、所定の方式のコピーカードを施した信号を生成して出力する。
【０１８８】
そして、処理は、ステップＳ１５からステップＳ１６に進み、例えば、PRI１２３は、記録モードが、DRモード又は再エンコードモードのうちのいずれに設定されているかを判定する。
【０１８９】
ここで、記録モードは、例えば、ユーザが、記録装置２０２の図示せぬリモートコマンダ等を操作することにより設定することができる。
【０１９０】
ステップＳ１６において、記録モードがDRモードに設定されていると判定された場合、処理は、ステップＳ１７に進み、記録対象コンテンツを、DRモードでHD１１２に記録するDRモード記録処理が行われる。
【０１９１】
また、ステップＳ１６において、記録モードが再エンコードモードに設定されていると判定された場合、処理は、ステップＳ１８に進み、記録対象コンテンツを、再エンコードモードでHD１１２に記録する再エンコードモード記録処理が行われる。
【０１９２】
次に、図７のフローチャートを参照して、図６のステップＳ１７で行われるDRモード記録処理の詳細について説明する。
【０１９３】
DRモード記録処理では、ステップＳ３１において、PRI１２３が、PIDフィルタ１２２からのフルTSから、記録対象のコンテンツのデータとしてのパーシャルTSを作成し、HD記録制御部１３０に供給する。
【０１９４】
ここで、ステップＳ３１でのパーシャルTSの作成では、記録対象のコンテンツのCCIが、図６のステップＳ１４でPSI/SIコントローラ１２５から供給される更新CCIに変更される。
【０１９５】
すなわち、例えば、上述したように、コンテンツのCCIが、コピーワンスになっている場合、PSI/SIコントローラ１２５は、更新CCIとして、ノーモアコピーを、PRI１２３及びHD記録制御部１３０に供給する（コピーワンスをノーモアコピーに変更することを指示する）。
【０１９６】
ステップＳ３１では、PRI１２３は、PSI/SIコントローラ１２５からの更新CCIにしたがい、PIDフィルタ１２２からのフルTSにおける制御データに含まれるCCIとしてのディジタルコピー記述子を、コピーワンスからノーモアコピーに置換し、あるいは、制御データの中に、ノーモアコピーのCCIとしての新たな記述子を追加する。
【０１９７】
その後、処理は、ステップＳ３１からステップＳ３２に進み、HD記録制御部１３０は、PRI１２３から供給される記録対象のコンテンツのデータとしてのパーシャルTSを、HD１１２に記録させ、処理は、ステップＳ３３に進む。
【０１９８】
すなわち、HD記録制御部１３０では、HDDファイルシステム１３２が、PRI１２３から供給されるパーシャルTSをバッファマネージャ１３３に供給する。バッファマネージャ１３３は、HDDファイルシステム１３２からのパーシャルTSを一時記憶し、ATAコントローラ１３４に供給する。ATAコントローラ１３４では、バッファマネージャ１３３からのパーシャルTSが暗号化され、HDD１３５に供給される。HDD１３５では、ATAコントローラ１３４からのパーシャルTSが、HD１１２に記録される。
【０１９９】
ステップＳ３３では、HD記録制御部１３０において、HDDタイトルデータベース管理部１３１が、HD１１２にパーシャルTSで記録されたコンテンツについて、タイトルデータベースを生成する。
【０２００】
すなわち、HDDタイトルデータベース管理部１３１は、PSI/SIコントローラ１２５からHD記録制御部１３０に供給される情報等に基づき、HD１１２に記録されたパーシャルTSのコンテンツについて、そのコンテンツのタイトルや、チャンネルの情報、放送形態識別情報、CCI（PSI/SIコントローラ１２５からの更新CCI）等を含むタイトルデータベースを生成する。
【０２０１】
HDDタイトルデータベース管理部１３１で生成されたタイトルデータベースは、例えば、HDDファイルシステム１３２、バッファマネージャ１３３、及びATAコントローラ１３４を介して、HDD１３５に供給され、HD１１２に記録される。
【０２０２】
次に、図８のフローチャートを参照して、図６のステップＳ１８で行われる再エンコードモード記録処理の詳細について説明する。
【０２０３】
再エンコードモード記録処理では、ステップＳ５１において、AVエンコーダ１２８が、AVデコーダ１２６から供給されるベースバンドのコンテンツのデータを、例えば、MPEG2又はMPEG4方式等でエンコードし、所定のフォーマットのデータとしたコンテンツのデータを、マルチプレクサ１２９に供給して、処理は、ステップＳ５２に進む。
【０２０４】
ステップＳ５２では、マルチプレクサ１２９が、AVエンコーダ１２８からの所定のフォーマットのコンテンツのデータと、図６のステップＳ１４でPSI/SIコントローラ１２５から供給される更新CCI等とを多重化することにより、DVDに記録することができるMPEG-PSや、AVC-HD等の多重化データを得て、HD記録制御部１３０に供給し、処理は、ステップＳ５３に進む。
【０２０５】
ステップＳ５３では、HD記録制御部１３０が、マルチプレクサ１２９からの多重化データを、上述の図７のステップＳ３２の場合と同様にして、HD１１２に記録させて、処理は、ステップＳ５４に進む。
【０２０６】
ステップＳ５４では、HD記録制御部１３０において、HDDタイトルデータベース管理部１３１が、HD１１２に多重化データで記録されたコンテンツについて、タイトルデータベースを生成する。
【０２０７】
すなわち、HDDタイトルデータベース管理部１３１は、PSI/SIコントローラ１２５からHD記録制御部１３０に供給される情報等に基づき、HD１１２に記録された多重化データのコンテンツについて、そのコンテンツのタイトルや、チャンネルの情報、放送形態識別情報、CCI（PSI/SIコントローラ１２５からの更新CCI）等を含むタイトルデータベースを生成する。
【０２０８】
HDDタイトルデータベース管理部１３１で生成されたタイトルデータベースは、例えば、HDDファイルシステム１３２、バッファマネージャ１３３、及びATAコントローラ１３４を介して、HDD１３５に供給され、HD１１２に記録される。
【０２０９】
なお、HDDタイトルデータベース管理部１３１は、必要に応じて、HD１１２に記録されたタイトルベースを、ATAコントローラ１３４、バッファマネージャ１３３、及びHDDファイルシステム１３２を介して再生し（読み出し）、ダビング制御部２３６等の必要なブロックに供給する。
【０２１０】
次に、記録装置２０２は、内蔵するHD１１２に記録されたコンテンツを、HD１１２以外の記録媒体、すなわち、例えば、ドライブ１４１に装着されたリムーバブルメディア１１４にダビングすることができる。
【０２１１】
図９のフローチャートを参照して、CCIがノーモアコピーになっているコンテンツを、HD１１２からリムーバブルメディア１１４にダビングするダビング処理について説明する。
【０２１２】
ダビング処理は、例えば、ユーザが、ダビング対象のコンテンツを指定し、ダビングを行うように、記録装置２０２のリモートコマンダを操作した場合に開始される。
【０２１３】
そして、ダビング処理では、ステップＳ７１において、ダビング制御部２３６は、ダビング対象のコンテンツを、HD１１２からリムーバブルメディア１１４にダビングするのに、変換処理が必要であるかどうかを判定する。
【０２１４】
ここで、HD１１２に記録されているダビング対象のコンテンツのデータのフォーマットと、リムーバブルメディア１１４に記録されるデータのフォーマットとの同一性が高い場合、すなわち、例えば、ダビング対象のコンテンツのデータが、DRモードで記録されたパーシャルTSであり、リムーバブルメディア１１４が、パーシャルTSをビットワイズコピーで記録することができるブルーレイディスクである場合や、ダビング対象のコンテンツのデータが、再エンコードモードで記録されたMPEG-PSであり、リムーバブルメディア１１４が、MPEG-PSをビットワイズコピーで記録することができるDVDである場合には、ステップＳ７１において、変換処理が必要でないと判定される。
【０２１５】
また、HD１１２に記録されているダビング対象のコンテンツのデータのフォーマットと、リムーバブルメディア１１４に記録されるデータのフォーマットとの同一性が低い場合、すなわち、例えば、ダビング対象のコンテンツのデータが、DRモードで記録されたパーシャルTSであり、リムーバブルメディア１１４がMPEG-PSが記録されるDVDである場合には、ステップＳ７１において、パーシャルTSを、DVDに記録することができるMPEG-PSに変換する変換処理が必要であると判定される。
【０２１６】
ステップＳ７１において、変換処理が必要でないと判定された場合、処理は、ステップＳ７２に進み、ダビング制御部２３６は、HD１１２に記録されたダビング対象のコンテンツを、ダビングのために、リムーバブルメディア１１４に記録させる。
【０２１７】
ここで、ステップＳ７２では、HD１１２に記録されたダビング対象のコンテンツを、リムーバブルメディア１１４に記録するときの、HD１１２からリムーバブルメディア１１４へのデータの供給は、高速転送で行われる。
【０２１８】
すなわち、ステップＳ７２では、ダビング制御部２３６は、HD１１２から、ダビング対象のコンテンツのデータを、HD１１２から再生するように、HD記録制御部１３０を制御する。
【０２１９】
HD記録制御部１３０では、ダビング制御部２３６の制御にしたがい、HDD１３５が内蔵するHD１１２から、ダビング対象のコンテンツのデータが再生され、ATAコントローラ１３４、バッファマネージャ１３３、及びHDDファイルシステム１３２を介して、CODEC１１３７に供給される。
【０２２０】
CODEC１３７は、HD記録制御部１３０からのコンテンツのデータに変換処理を施さずに、リムーバブルメディア記録制御部１３８に供給する。リムーバブルメディア記録制御部１３８では、CODEC１３７からダビング対象のコンテンツのデータが供給されると、ファイルシステム１４０が、そのコンテンツのデータを、ドライブ１４１に供給して、リムーバブルメディア１１４に記録させる。
【０２２１】
また、リムーバブルメディア記録制御部１３８では、タイトルデータベース管理部１３９が、リムーバブルメディア１１４に記録されたダビング対象のコンテンツについて、タイトルデータベースを生成する。
【０２２２】
すなわち、ダビング制御部２３６は、HD１１２から、ダビング対象のコンテンツのタイトルデータベースを、HD１１２から再生するように、HD記録制御部１３０を制御する。HD記録制御部１３０は、ダビング制御部２３６の制御にしたがい、HD１１２から、ダビング対象のコンテンツのタイトルデータベースを再生し、そのタイトルデータベースにある情報（以下、適宜、タイトル情報という）を、CODEC１３７を介して、リムーバブルメディア記録制御部１３８に供給する。
【０２２３】
リムーバブルメディア記録制御部１３８のタイトルデータベース管理部１３９では、以上のようにして供給されるタイトル情報を用いて、リムーバブルメディア１１４に記録されたダビング対象のコンテンツについて、タイトルデータベースを生成する。
【０２２４】
タイトルデータベース管理部１３９で生成されたタイトルデータベースは、例えば、ファイルシステム１４０を介して、ドライブ１４１に供給され、リムーバブルメディア１１４に記録される。
【０２２５】
一方、ステップＳ７１において、変換処理が必要であると判定された場合、処理は、ステップＳ７３に進み、ダビング制御部２３６は、HD１１２に記録されたダビング対象のコンテンツを、ダビングのために、リムーバブルメディア１１４に記録させる。
【０２２６】
ここで、ステップＳ７３では、HD１１２に記録されたダビング対象のコンテンツを、リムーバブルメディア１１４に記録するときの、HD１１２からリムーバブルメディア１１４へのデータの供給は、再エンコード転送で行われる。
【０２２７】
すなわち、ステップＳ７３では、ダビング制御部２３６は、HD１１２から、ダビング対象のコンテンツのデータを、HD１１２から再生するように、HD記録制御部１３０を制御する。
【０２２８】
HD記録制御部１３０では、ダビング制御部２３６の制御にしたがい、HDD１３５が内蔵するHD１１２から、ダビング対象のコンテンツのデータが再生され、ATAコントローラ１３４、バッファマネージャ１３３、及びHDDファイルシステム１３２を介して、CODEC１１３７に供給される。
【０２２９】
CODEC１３７は、HD記録制御部１３０からのコンテンツのデータに変換処理を施し、その変換処理後のコンテンツのデータを、リムーバブルメディア記録制御部１３８に供給する。リムーバブルメディア記録制御部１３８では、CODEC１３７からダビング対象のコンテンツのデータが供給されると、ファイルシステム１４０が、そのコンテンツのデータを、ドライブ１４１に供給して、リムーバブルメディア１１４に記録させる。
【０２３０】
また、リムーバブルメディア記録制御部１３８では、ステップＳ７２の場合と同様に、タイトルデータベース管理部１３９が、リムーバブルメディア１１４に記録されたダビング対象のコンテンツについて、タイトルデータベースを生成し、そのタイトルデータベースは、必要に応じて、リムーバブルメディア１１４に記録される。
【０２３１】
以上のように、ステップＳ７２又はステップＳ７３において、HD１１２に記録されたダビング対象のコンテンツが、リムーバブルメディア１１４に記録された後、処理は、ステップＳ７４に進み、ダビング制御部２３６は、HD１１２に記録されたダビング対象のコンテンツが、所定の条件を満たすか否かを判定し、処理は、ステップＳ７５に進む。
【０２３２】
ここで、所定の条件とは、CCIがコピーワンスになっているコンテンツを、記録装置２０２が内蔵するHD１１２から、リムーバブルメディア１１４等にダビングするときに、ムーブではなく、コピー、つまり、コンテンツをHD１１２に残すことを許可するコピー許可条件である。
【０２３３】
コピー許可条件としては、例えば、CCIがコピーワンスになっているダビング対象のコンテンツが、地上ディジタル放送で放送された番組としてのコンテンツであること等を採用することができる。
【０２３４】
HD１１２に記録されたコンテンツが、地上ディジタル放送で放送された番組であるかどうかは、HD１１２に記録されたコンテンツのタイトルデータベースにある放送形態識別情報を参照することで認識（判定）することができる。
【０２３５】
ステップＳ７５では、ダビング制御部２３６は、ダビング対象のコンテンツが、コピー許可条件を満たすか否かのステップＳ７４での判定結果に応じて、ダビング対象のコンテンツを、HD１１２から消去し、又は、HD１１２にそのまま残すように、HD記録制御部１３０を制御する。
【０２３６】
すなわち、ダビング対象のコンテンツが、コピー許可条件を満たさない場合、具体的には、例えば、ダビング対象のコンテンツが、地上ディジタル放送で放送された番組でない場合、つまり、ダビング対象のコンテンツが、BSディジタル放送、又はCSディジタル放送で放送された番組である場合、ダビング制御部２３６は、ダビング対象のコンテンツを、HD１１２から消去するように、HD記録制御部１３０を制御する。
【０２３７】
HD記録制御部１３０は、ダビング制御部２３６の制御にしたがって、ダビング対象のコンテンツを、HD１１２から消去し、したがって、この場合、ダビング対象のコンテンツの、HDD１１２からリムーバブルメディア１１４へのムーブが行われる。
【０２３８】
一方、ダビング対象のコンテンツが、コピー許可条件を満たす場合、具体的には、例えば、ダビング対象のコンテンツが、地上ディジタル放送で放送された番組である場合、ダビング制御部２３６は、ダビング対象のコンテンツを、HD１１２に残すように、HD記録制御部１３０を制御する。
【０２３９】
HD記録制御部１３０は、ダビング制御部２３６の制御にしたがって、ダビング対象のコンテンツを、HD１１２から消去せずに残し、したがって、この場合、ダビング対象のコンテンツの、HDD１１２からリムーバブルメディア１１４へのコピーが行われる。
【０２４０】
以上のように、記録装置２０２では、ダビング対象のコンテンツのCCIがノーモアコピーになっていても、そのコンテンツが、所定の許可条件を満たす場合、すなわち、例えば、ダビング対象のコンテンツが、地上ディジタル放送で放送された番組である場合には、図１の記録装置１０２のように、ダビング対象のコンテンツを、HD１１２からリムーバブルメディア１１４に記録した後に、HD１１２から消去するのではなく、HD１１２に残すので、そのコンテンツ、すなわち、地上ディジタル放送で放送された番組については、リムーバブルメディア１１４にダビングし直したり、他のリムーバブルメディアにさらにダビングするといった、柔軟なダビングを行うことができる。
【０２４１】
したがって、地上アナログ放送ではできたようなことが地上ディジタル放送ではできないといったことが生じるのを防止し、図１の記録装置１０２で生じてきたユーザの不便を解消することができる。
【０２４２】
また、CCIがノーモアコピーになっているコンテンツが、地上ディジタル放送で放送された番組である場合に、そのコンテンツを、HD１１２からリムーバブルメディア１１４に記録した後に、HD１１２から消去せずに残すコピーを行っても、リムーバブルメディア１１４に記録されたコンテンツのCCIは、ノーモアコピーであるから、CCIにしたがったコピーガードを行う（正当な）装置を使用する限りは、リムーバブルメディア１１４に記録されたCCIがノーモアコピーになっているコンテンツを、さらに、他の記録媒体にコピーしたり、インターネット等を介して配信することはできないので、著作権の保護に欠けることはない。
【０２４３】
さらに、記録装置２０２において、CCIがコピーワンスになっているコンテンツをHD１１２に記録するときの処理は、そのコンテンツのCCIをコピーワンスからノーモアコピーに変更することを含めて、図１の記録装置１０２と共通しており、HD１１２に記録された、CCIがノーモアコピーのコンテンツのうちの、地上ディジタル放送の番組のダビングだけが、ムーブではなく、コピーで行われる点が、図１の記録装置１０２と相違する。
【０２４４】
したがって、記録装置２０２は、図１の記録装置１０２において、HD１１２に記録された、CCIがノーモアコピーのコンテンツのうちの、地上ディジタル放送の番組のダビングだけを、ムーブではなく、コピーで行うようにするという、例えば、ソフトウェアの局所的な修正で済む変更を加えるだけで実現することができる。
【０２４５】
よって、記録装置２０２の実現にあたっては、実装や評価（テスト）に要する工数が少なくて済む。
【０２４６】
さらに、記録装置２０２では、記録装置１０２と同様に、HD１１２に記録された、CCIがノーモアコピーのコンテンツのダビングにおいて、HD１１２からリムーバブルメディア１１４への記録を、CCIの書き換えをすることなく行うことができるので、ダビング対象のコンテンツが、変換処理を施す必要がないものであれば、高速なダビングを行うことができる。
【０２４７】
なお、記録装置２０２は、例えば、図１の記録装置１０２において、上述した局所的な修正を行ったソフトウェアをダウンロードすることにより実現することが可能であり、したがって、図１の記録装置１０２を先に購入したユーザであっても、記録装置２０２を購入したユーザと同様の恩恵を受けることができる。
【０２４８】
さらに、記録装置２０２では、図１の記録装置１０２のように、地上アナログ放送ではできたことが地上ディジタル放送ではできないといったことがないので、図１の記録装置１０２よりも利便性が高く、図１の記録装置１０２と差別化を図ることができ、他社よりも先に市場に投入するできることができれば、大きなメリットとなる。
【０２４９】
また、例えば、BSディジタル放送やCSディジタル放送の無料又は有料の番組のうちの、CCIがコピーワンスの番組については、いままで通り、HD１１２に記録されたときに、CCIをコピーワンスからノーモアコピーに変更し、かつ、HD１１２からリムーバブルメディア１１４等へのダビングは、ムーブで行うことができる。
【０２５０】
さらに、HD１１２に記録された、CCIがノーモアコピーのコンテンツのうちの、地上ディジタル放送の番組については、ユーザに、CCIがコピーワンスのコンテンツであるかのように見せかけることができる。
【０２５１】
次に、図１０は、本発明を適用した放送システムの他の一実施の形態の構成例を示している。
【０２５２】
なお、図中、図１又は図３の場合と対応する部分については、同一の符号を付してあり、以下では、その説明は、適宜、省略する。
【０２５３】
すなわち、図１０の放送システムは、記録装置２０２に代えて、記録装置３０２が設けられている他は、図３の場合と同様に構成されている。
【０２５４】
記録装置３０２は、図１の記録装置１０２や図３の記録装置２０２と同様に、ディジタルチューナ１１１、HD１１２、及び出力I/F１１３等を有しており、リムーバブルメディア１１４の着脱が可能になっている。
【０２５５】
さらに、記録装置３０２は、外部の装置である外部機器３１２が接続され、その外部機器３１２との間のインタフェースとして機能する外部I/F３１１を有しており、この外部I/F３１１を有する点が、図３の記録装置２０２と相違している。
【０２５６】
以上のように構成される図１０の放送システムでは、図３の放送システムと同様に、送信装置１０１からの放送信号が、記録装置３０２のディジタルチューナ１１１で受信され、その放送信号に含まれるコンテンツが、出力I/F１１３を介して、モニタ１０３に供給されて表示等される。
【０２５７】
さらに、記録装置３０２では、ディジタルチューナ１１１で受信された放送信号に含まれるコンテンツが、必要に応じて、HD１１２に記録（録画）される。
【０２５８】
また、記録装置３０２では、そこに装着されたリムーバブルメディア１１４に対し、HD１１２に記録されたコンテンツを、必要に応じてダビングすることができるようになっている。
【０２５９】
さらに、記録装置３０２では、外部I/F３１１に、外部機器３１２が接続されている場合には、その外部機器３１２によって記録と再生が可能な記録媒体３１３に対し、HD１１２に記録されたコンテンツを、必要に応じてダビングすることができるようになっている。
【０２６０】
すなわち、外部機器３１２は、例えば、株式会社ソニー・コンピュータエンタテインメント社のPSP(R)や、アップルコンピューターインコーポレーテッド社のiPod(R)等に代表される携帯型の端末や、据え置き型のレコーダ（例えば、DVDレコーダや、DVDレコーダとしても機能するパーソナルコンピュータ等）等であり、外部機器３１２自身によって記録と再生が行われる記録媒体３１３を内蔵し、又は記録媒体３１３の着脱が可能になっている。
【０２６１】
そして、記録装置３０２は、図３の記録装置２０２と同様に、HD１１２に記録されたコンテンツを、リムーバブルメディア１１４にダビングする他、外部I/F３１１に接続された外部機器３１２の記録媒体３１３にもダビングすることができるようになっている。
【０２６２】
なお、外部機器３１２との間の接続は、例えば、USB(Universal Serial Bus)等を採用することができる。
【０２６３】
また、記録媒体３１３としては、HDや半導体メモリ等を採用することができる。
【０２６４】
ここで、違法コピーを防止するため、外部I/F３１１と外部機器３１２との間の通信は、外部I/F３１１と外部機器３１２との間で認証が行われ、その認証が成功した場合にのみ行われる。また、認証が成功した場合には、外部I/F３１１は、コンテンツを暗号化してから、外部機器３１２に送信し、外部機器３１２は、外部I/F３１１からのコンテンツ（暗号）を復号し、さらに暗号化してから、記録媒体３１３に記録する。
【０２６５】
図１１は、図１０の記録装置３０２の、より詳細な構成例を示している。
【０２６６】
なお、図中、図２の記録装置１０２、又は図４の記録装置２０２の場合と対応する部分については、同一の符号を付してあり、以下では、その説明は、適宜省略する。
【０２６７】
すなわち、記録装置３０２は、外部I/F３１１が新たに設けられている他は、図４の記録装置２０２と同様に構成されている。
【０２６８】
記録装置３０２において、外部I/F３１１は、CODEC１３７に接続されており、HD１１２に記録されたコンテンツを、外部I/F３１１に接続された外部機器３１２（図１０）が内蔵する（又は外部機器３１２に着脱可能な）記録媒体３１３にダビングする場合、そのダビングは、コンテンツを、HD１１２から、HD記録制御部１３０、CODEC１３７、及び外部I/F３１１を介して、外部機器３１２が内蔵する記録媒体３１３に記録することで行われる。
【０２６９】
なお、例えば、ダビング対象のコンテンツのデータが、再エンコードモードで記録されたMPEG-PSであり、外部機器３１２が、その内蔵する記録媒体３１３に、MPEG-PSをそのまま記録することができるものである場合には、ダビング対象のコンテンツのデータに変換処理を施す必要はないので、HD１１２から再生されたダビング対象のコンテンツのデータとしてのMPEG-PSについては、CODEC１３７をバイパスして、外部I/F３１１に供給し、さらに、外部I/F３１１から外部機器３１２に供給する高速転送を行うことができる。
【０２７０】
したがって、この場合、高速ダビングを行うことができる。
【０２７１】
一方、例えば、ダビング対象のコンテンツのデータが、DRモードで記録されたパーシャルTSであるが、外部機器３１２が内蔵する記録媒体３１３が、その内蔵する記録媒体３１３に、MPEG-PSは記録することができるが、パーシャルTSを記録することができないものである場合には、ダビング対象のコンテンツのデータとしてのパーシャルTSを、MPEG-PSに変換する必要があるので、HD１１２から再生されたダビング対象のコンテンツのデータとしてのパーシャルTSは、CODEC１３７において変換処理が施され、MPEG-PSとされてから、外部I/F３１１に供給され、さらに、外部I/F３１１から外部機器３１２に供給される再エンコード転送が行われる。
【０２７２】
したがって、この場合、再エンコードダビングが行われる。
【０２７３】
図１２を参照して、HD１１２に記録されたコンテンツの、外部機器３１２が内蔵する記録媒体３１３へのダビングが、再エンコードダビングで行われる場合の、ダビング処理について説明する。
【０２７４】
図１２は、外部機器３１２の構成例を示している。
【０２７５】
ここで、図１２においては、ダビング処理を説明する便宜のため、外部機器３１２の他、記録装置３０２のHD記録制御部１３０、CODEC１３７、及び外部I/F３１１も図示してある。
【０２７６】
なお、HD記録制御部１３０は、図２の場合と同様に構成され、CODEC１３７は、図５の場合と同様に構成されるため、HD記録制御部１３０及びCODEC１３７の説明は、適宜省略する。
【０２７７】
図１２において、外部機器３１２は、記録媒体３１３の他、タイトルデータベース管理部３３１、及びファイルシステム３３２等を有している。
【０２７８】
タイトルデータベース管理部３３１は、HDDタイトルデータベース管理部１３１（図１１）やタイトルデータベース管理部１３９と同様に、記録媒体３１３に記録されるコンテンツを管理するためのタイトルデータベースを生成する。
【０２７９】
なお、HD１１２から記録媒体３１３に対して、コンテンツのダビングを行うときに、タイトルデータベース管理部３３１がタイトルデータベースを生成するのに必要な情報は、HD１１２から、HD記録制御部１３０及びCODEC１３７を介して、タイトルデータベース管理部３３１に供給される。
【０２８０】
また、タイトルデータベース管理部３３１が生成したタイトルデータベースは、必要に応じて、ファイルシステム３３２を介して、記録媒体３１３に記録される。
【０２８１】
ファイルシステム３３２は、CODEC１３７から供給されるコンテンツのデータ等を記録媒体３１３に記録したときにファイルとして扱うことができるように処理をし、記録媒体３１３に供給する。
【０２８２】
また、ファイルシステム３３２は、記録媒体３１３から再生された（読み出された）コンテンツのデータ等を、必要に応じて、外部機器３１２が有する図示せぬモニタ等に供給して表示等させる。
【０２８３】
以上のように構成される外部機器３１２に対して、HDD１１２（図１１）に記録されたコンテンツのダビングが行われる場合において、ダビング対象のコンテンツのCCIがノーモアコピーであり、そのコンテンツのデータとしてのパーシャルTSを、MPEG-PSに変換する変換処理が行われるときには、HD１１２（図１１）からダビング対象のコンテンツのデータとしてのパーシャルTSが再生され、HD記録制御部１３０のHDDファイルシステム１３２から、CODEC１３７のPIDフィルタ２５１に供給される。
【０２８４】
PIDフィルタ２５１は、HD記録制御部１３０のHDDファイルシステム１３２からのパーシャルTSを構成するTSパケットから、パーシャルTSをMPEG-PSに変換するのに必要なPIDのTSパケットを抽出し、デマルチプレクサ２５２に供給する。
【０２８５】
デマルチプレクサ２５２は、PIDフィルタ２５１からのパーシャルTSのTSパケットを、画像、音声、制御データ（のTSパケット）に分離する。そして、デマルチプレクサ２５２は、コンテンツの画像及び音声のAVデータを、AVデコーダ２５４に供給し、制御データを、PSI/SIコントローラ２５３に供給する。
【０２８６】
PSI/SIコントローラ２５３は、PSI/SIコントローラ１２５（図１１）と同様に、デマルチプレクサ２５２からの制御データを分析することにより、PSI/SIを構成する。
【０２８７】
さらに、PSI/SIコントローラ２５３は、PSI/SIに含まれるCCIとしてのディジタルコピー制御記述子に基づき、ダビング対象のコンテンツのCCIを認識し、そのCCIが、例えば、ノーモアコピーになっている場合には、ダビング対象のコンテンツのCCIをノーモアコピーとする指示を、マルチプレクサ２５６を供給するとともに、外部I/F３１１を介して、外部機器３１２のタイトルデータベース管理部３３１に供給する。
【０２８８】
一方、AVデコーダ２５４では、デマルチプレクサ２５２からのコンテンツのデータをデコードする。すなわち、デマルチプレクサ２５２からのコンテンツのデータは、MPEG方式でエンコードされており、AVデコーダ２５４は、そのMPEG方式でエンコードされているコンテンツのデータをデコードする。
【０２８９】
そして、AVデコーダ２５４は、デコードの結果得られるベースバンドのコンテンツのデータ（AVデータ）を、AVエンコーダ２５５に供給する。
【０２９０】
AVエンコーダ２５５は、AVエンコーダ１２８（図１１）と同様に、AVデコーダ２５４から供給されるベースバンドのコンテンツのデータに対して、適切な信号処理を施し、所定のフォーマットのデータにエンコードして、マルチプレクサ２５６に供給する。
【０２９１】
マルチプレクサ２５６は、AVエンコーダ２５５からの所定のフォーマットのコンテンツのデータと、PSI/SIコントローラ２５３から指示されたCCI等とを多重化すること等により、MPEG-PSを生成し、そのMPEG-PSのコンテンツのデータを、外部I/F３１１を介して、外部機器３１２のファイルシステム３３２に供給する。
【０２９２】
外部機器３１２では、ファイルシステム３３２が、CODEC１３７のマルチプレクサ２５６から外部I/F３１１を介して供給されるコンテンツのデータとしてのMPEG-PSを、記録媒体３１３に記録させる。
【０２９３】
また、外部機器３１２では、タイトルデータベース管理部３３１が、記録媒体３１３に記録（ダビング）されたコンテンツについて、CODEC１３７のPSI/SIコントローラ２５３からの指示にしたがったCCIを含むタイトルデータベースを生成する。
【０２９４】
タイトルデータベース管理部３３１で生成されたタイトルデータベースは、例えば、ファイルシステム３３２を介して、記録媒体３１３に記録される。
【０２９５】
一方、ダビング制御部２３６（図１１）では、HD１１２に記録されたダビング対象のコンテンツが、所定の条件としてのコピー許可条件を満たすか否か、すなわち、例えば、上述したように、地上ディジタル放送で放送された番組としてのコンテンツであるか否かが判定される。
【０２９６】
そして、ダビング制御部２３６は、HD１１２に記録されたダビング対象のコンテンツが、記録媒体３１３に記録された後、ダビング対象のコンテンツが、コピー許可条件を満たすか否かのステップＳ７４での判定結果に応じて、ダビング対象のコンテンツを、HD１１２から消去し、又は、HD１１２にそのまま残すように、HD記録制御部１３０を制御する。
【０２９７】
すなわち、ダビング対象のコンテンツが、コピー許可条件を満たさない場合、具体的には、例えば、ダビング対象のコンテンツが、地上ディジタル放送で放送された番組でない場合、つまり、ダビング対象のコンテンツが、BSディジタル放送、又はCSディジタル放送で放送された番組である場合、ダビング制御部２３６は、ダビング対象のコンテンツを、HD１１２から消去するように、HD記録制御部１３０を制御する。
【０２９８】
HD記録制御部１３０は、ダビング制御部２３６の制御にしたがって、ダビング対象のコンテンツを、HD１１２から消去し、したがって、この場合、ダビング対象のコンテンツの、HDD１１２から記録媒体３１３へのムーブが行われる。
【０２９９】
一方、ダビング対象のコンテンツが、コピー許可条件を満たす場合、具体的には、例えば、ダビング対象のコンテンツが、地上ディジタル放送で放送された番組である場合、ダビング制御部２３６は、ダビング対象のコンテンツを、HD１１２に残すように、HD記録制御部１３０を制御する。
【０３００】
HD記録制御部１３０は、ダビング制御部２３６の制御にしたがって、ダビング対象のコンテンツを、HD１１２から消去せずに残し、したがって、この場合、ダビング対象のコンテンツの、HDD１１２から記録媒体３１３へのコピーが行われる。
【０３０１】
以上のように、地上ディジタル放送の番組のコンテンツのダビングにおいて、HD１１２に記録された状態のCCIがノーモアコピーになっていても、HD１１２に記録されたコンテンツを、外部機器３１２の記録媒体３１３に記録した後に、そのコンテンツをHD１１２にそのまま残すことにより、例えば、ユーザは、記録装置３０２を用いてコンテンツを視聴することもできるし、外出先に携帯した外部機器３１２を用いてコンテンツを視聴することもできる。
【０３０２】
次に、上述した処理のうちの、例えば、ダビング制御部２３６が行う一連の処理は、ハードウェアにより行うこともできるし、ソフトウェアにより行うこともできる。一連の処理をソフトウェアによって行う場合には、そのソフトウェアを構成するプログラムが、ダビング制御部２３６として機能させるマイクロコンピュータ等にインストールされる。
【０３０３】
そこで、図１３は、上述した一連の処理を実行するプログラムがインストールされるマイクロコンピュータの一実施の形態の構成例を示している。
【０３０４】
プログラムは、マイクロコンピュータに内蔵されている記録媒体としてのROM(Read Only Memory)４０３や、例えば、フラッシュメモリ等の不揮発性メモリ４０５に予め記録しておくことができる。
【０３０５】
その他、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０３０６】
なお、プログラムは、上述したようなリムーバブル記録媒体からマイクロコンピュータにインストールする他、ダウンロードサイトから、ディジタル衛星放送用の人工衛星を介して、マイクロコンピュータに無線で転送したり、LAN(Local Area Network)、インターネットといったネットワークを介して、マイクロコンピュータに有線で転送し、マイクロコンピュータでは、そのようにして転送されてくるプログラムを受信し、内蔵する不揮発性メモリ４０５にインストールすることができる。
【０３０７】
マイクロコンピュータは、CPU(Central Processing Unit)４０２を内蔵している。CPU４０２には、バス４０１を介して、ROM４０３，RAM(Random Access Memory)４０４、不揮発性メモリ４０５、及び入出力インタフェース４０６が接続されている。CPU４０２は、ROM４０３や不揮発性メモリ４０５に格納されているプログラム、衛星若しくはネットワークから転送され、不揮発性メモリ４０５にインストールされたプログラム、又は図示せぬリムーバブル記録媒体から読み出されて不揮発性メモリ４０５にインストールされたプログラムを、RAM４０４にロードして実行する。これにより、CPU４０２は、図９等のフローチャートにしたがった処理を行い、これにより、入出力インタフェース４０６を介して、図１３には図示していない記録装置２０２又は３０２を構成する各ブロックを制御する。
【０３０８】
ここで、本明細書において、マイクロコンピュータ（CPU４０２）に各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０３０９】
また、プログラムは、１つのCPUにより処理されるものであっても良いし、複数のCPUによって分散処理されるものであっても良い。
【０３１０】
なお、本実施の形態では、コンテンツが、地上ディジタル放送の番組であるかどうかによって、そのコンテンツを、HD１１２から消去し、又はHD１１２にそのまま残すようにしたが、コンテンツを、HD１１２から消去し、又はHD１１２にそのまま残すかの判定は、その他、例えば、送信装置１０１からの放送信号に含まれるPSI/SIから認識することができる各種の情報、例えば、コンテンツを放送したチャンネル情報、コンテンツの課金情報、コンテンツが、地上ディジタル、BSディジタル、CSディジタル、又はIPTV（Internet Protocol Television）等のうちのいずれの放送形態で放送されたのかを示す情報等に基づいて行い、あるいは、コンテンツを放送する放送局において、PSI/SIに、専用の識別フラグを新たに含ませ、その識別フラグに基づいて行うようにすることができる。専用の識別フラグとしては、例えば、コンテンツが有料か無料かを示すフラグであったり、特別にHD１１２にそのまま残すことを指示するための制御情報であったりしてもよい。これらの“どの放送形態で放送されたのかを示す情報”や“専用の識別フラグ”を用いた場合、これらの情報や識別フラグをPSI/SIから認識し、本実施の形態の放送形態識別情報と同様に、これらを、対応するコンテンツと対応付けて、タイトルデータベースに記録（保持）しておくことで、各コンテンツ毎にHD１１２から消去し、又はHD１１２にそのまま残すかの判定を行うことができる。
【０３１１】
また、コンテンツの一部分が地上ディジタル放送で放送され、残りの部分がBSディジタル放送又はCSディジタル放送で放送された場合には、コンテンツ全体を、BSディジタル放送又はCSディジタル放送で放送された番組として扱い、ダビングにおいて、コンテンツ全体をHD１１２から消去するようにすることができる。あるいは、ダビングにおいて、コンテンツのうちの、地上ディジタル放送で放送された部分は、HD１１２から消去せずにそのまま残し、BSディジタル放送又はCSディジタル放送で放送された部分は、HD１１２から消去するようにすることができる。
【０３１２】
なお、本発明の実施の形態は、上述した実施の形態に限定されるものではなく、本発明の要旨を逸脱しない範囲において種々の変更が可能である。
【図面の簡単な説明】
【０３１３】
【図１】従来の放送システムの一例の構成を示すブロック図である。
【図２】記録装置１０２の構成例を示すブロック図である。
【図３】本発明を適用した放送システムの一実施の形態の構成例を示すブロック図である。
【図４】記録装置２０２の構成例を示すブロック図である。
【図５】CODEC１３７の構成例を示すブロック図である。
【図６】記録処理を説明するフローチャートである。
【図７】DRモード記録処理を説明するフローチャートである。
【図８】再エンコードモード記録処理を説明するフローチャートである。
【図９】ダビング処理を説明するフローチャートである。
【図１０】本発明を適用した放送システムの他の一実施の形態の構成例を示すブロック図である。
【図１１】記録装置３０２の構成例を示すブロック図である。
【図１２】外部機器３１２の構成例を示すブロック図である。
【図１３】本発明を適用したコンピュータの一実施の形態の構成例を示すブロック図である。
【符号の説明】
【０３１４】
１０１  送信装置，  １０３  モニタ，
１１１  ディジタルチューナ，  １１２  HD，  １１３  出力I/F，  １１４  リムーバブルメディア，  １２１  デスクランブラ，  １２２  PIDフィルタ，  １２３  PRI，  １２４  デマルチプレクサ，  １２５  PSI/SIコントローラ，  １２６  AVデコーダ，  １２７，１２８  AVエンコーダ，  １２９  マルチプレクサ，  １３０  HD記録制御部，  １３１  HDDタイトルデータベース管理部，  １３２  HDDファイルシステム，  １３３  バッファマネージャ，  １３４  ATAコントローラ，  １３５  HDD，  １３７  CODEC，  １３８  リムーバブルメディア記録制御部，  １３９  タイトルデータベース管理部，  １４０  ファイルシステム，  １４１  ドライブ，  ２０２  記録装置，  ２３６  ダビング制御部，  ２５１  PIDフィルタ，  ２５２  デマルチプレクサ，  ２５３  PSI/SIコントローラ，  ２５４  AVデコーダ，  ２５５  AVエンコーダ，  ２５６  マルチプレクサ，  ３１１  外部I/F，  ３１２  外部機器，  ３１３  記録媒体，  ３３１  タイトルデータベース管理部，  ３３２  ファイルシステム，  ４０１  バス，  ４０２  CPU，  ４０３  ROM，  ４０４  RAM，  ４０５  不揮発性メモリ，  ４０６  入出力インタフェース
【図１】
2008205883.tif 000003
【図２】
2008205883.tif 000004
【図３】
2008205883.tif 000005
【図４】
2008205883.tif 000006
【図５】
2008205883.tif 000007
【図６】
2008205883.tif 000008
【図７】
2008205883.tif 000009
【図８】
2008205883.tif 000010
【図９】
2008205883.tif 000011
【図１０】
2008205883.tif 000012
【図１１】
2008205883.tif 000013
【図１２】
2008205883.tif 000014
【図１３】
2008205883.tif 000015